(57)【特許請求の範囲】
【請求項１】
遊技盤が着脱自在に取り付けられるベース枠の表面側に前記遊技盤の遊技盤面を透視し得る開口部を有するとともに該開口部を塞ぐガラス板を着脱可能に支持し得るガラス枠を備えているパチンコ機において、
前記ガラス枠は、円形状の前記開口部が形成されるように合成樹脂製の複数の主要構成部材に各種の部品を組み付けて構成される枠部材と、該枠部材の裏側の前記開口部を除く領域に隣り合う主要構成部材に跨って固定される金属製の補強板と、からなり、
該補強板のうち、上部の補強板を除く軸支側補強板と下部補強板と開放側補強板に、前記開口部側の端辺に沿って裏側に向って垂直方向に折り曲げられて前記開口部を塞ぐ前記ガラス板を収納および支持するための２列のガラス支持溝を形成したガラス支持枠が一体的に形成される一方、前記軸支側補強板と前記開放側補強板の上端部にそれぞれ突設した取付け片の間に、前記ガラス支持枠に装着された前記ガラス板の上部押さえとして機能するストッパー部材を前後方向に回動自在に軸支したことを特徴とするパチンコ機。
【請求項２】
請求項１記載のパチンコ機において、
前記ガラス支持枠には、その先端部を前記ベース枠に向かって突設した防犯リブが形成され、
前記ベース枠に対して前記ガラス枠を閉じたときに、前記防犯リブが前記ベース枠に形成された凹部に嵌め合わされて前記遊技盤面内への異物の侵入を防止することを特徴とするパチンコ機。
【請求項３】
請求項１又は請求項２記載のパチンコ機において、
前記補強板のうち、前記軸支側補強板に、前記ガラス支持枠と反対側の端辺の一部が前記ベース枠に向かって突設され且つ前記ベース枠に対して前記ガラス枠を閉じたときに前記ベース枠の軸支側に付設された係合板に咬合してガラス枠の撓みを防止する係合フランジ部が一体的に形成されていることを特徴とするパチンコ機。
【発明の詳細な説明】
【０００１】
【発明の属する技術分野】
本発明は、パチンコ遊技を実施するためのパチンコ機に関するものであり、詳しくは、遊技盤が着脱自在に取り付けられるベース枠の表面側に遊技盤の遊技盤面を透視し得る開口部を有するとともに該開口部を塞ぐガラス板を着脱可能に支持し得るガラス枠を備えているパチンコ機に関する。
【０００２】
【従来の技術】
近年、いわゆるパチンコ遊技の高度化および多様化が急速に進行しつつあり、これに付随してパチンコ機本体も高度に装飾化されるようになってきた。例えばパチンコ機表面側に装着されているガラス枠は、本来、変動入賞装置や図柄表示装置等の種々のパチンコ遊技装置を備えてパチンコ機本体に装備された遊技盤の遊技盤面をガラス板で覆い当該遊技盤面を外部と遮断するためのものである。このため、従来のガラス枠はパチンコ機表面に開閉可能に装着された額縁状の金枠でしかなかった。しかるに、近年、パチンコ機の装飾化は上記ガラス枠部分にも及んでいる。
【０００３】
例えば、特開平７−２１３７２２号公報および特開平８−１３１６３４号公報に開示されているパチンコ機には、遊技領域に相当する遊技盤面を透視し得る開口部と当該開口部を塞ぐ透明板（即ちガラス板）とを備えると共に当該開口部の周囲に種々の装飾を施した合成樹脂製の透明板保持枠（即ち本明細書におけるガラス枠）が装備されている。このような樹脂製ガラス枠は成形加工が容易であるため、外観上、様々なデザインを施すことができる。さらに、凹凸を設けることによって上記開口部の周囲に種々の電気部品あるいは装飾部材を配置することができる。このため、最近の樹脂製ガラス枠は高度に装飾化および大型化されつつある。
【０００４】
このような高度に装飾化および大型化した樹脂製ガラス枠を構築する場合、当該ガラス枠の組み立て作業の簡素化等の観点から、ガラス枠の外形を構成する部材（以下「主要構成部材」という。）をはじめから一体成形する手段に変えて、予め個々に成形した複数の部材を組み付けることによって一つの主要構成部材を形成する手段が考えられる。例えば、上記特開平７−２１３７２２号公報に記載の樹脂製透明板保持枠（ガラス枠）は、予め所定の形状に成形された二つの部材をビス等で組み付けることによって当該ガラス枠の外形を構成する一つの主要構成部材が形成されている。
【０００５】
【発明が解決しようとする課題】
ところで、上記公報に記載されるような従来の樹脂製ガラス枠は、先ず、上記組み付け方法等によって全体で一つの主要構成部材が形成され、しかる後にその表面および裏面の両面に種々の装飾品および／または電気部品（ランプ、基板を包含する。以下同じ。）が装着されて組み立てられている。このため、従来のガラス枠組み立て作業時には、装着する部材に応じて上記一つの主要構成部材を度々引っ繰り返したり、あるいは、当該主要構成部材を立てた状態で固定しておき、その周囲を作業者が動き回ることによって各種部材を所定の位置に装着せねばならなかった。従って、従来の高度に装飾化および大型化したガラス枠では、ガラス枠組み立て作業の繁雑化および組み立て作業スペースの広範化を回避することが困難であった。
【０００６】
本発明は、高度に装飾化された樹脂製ガラス枠を備えるパチンコ機における上記問題点を解決するものであり、その目的とするところは、組み立て作業が簡便で部品交換も容易なガラス枠を備えたパチンコ機を提供することである。
【０００７】
【課題を解決するための手段】
上記目的を達成するために、本発明においては、遊技盤が着脱自在に取り付けられるベース枠の表面側に前記遊技盤の遊技盤面を透視し得る開口部を有するとともに該開口部を塞ぐガラス板を着脱可能に支持し得るガラス枠を備えているパチンコ機において、前記ガラス枠は、円形状の前記開口部が形成されるように合成樹脂製の複数の主要構成部材に各種の部品を組み付けて構成される枠部材と、該枠部材の裏側の前記開口部を除く領域に隣り合う主要構成部材に跨って固定される金属製の補強板と、からなり、該補強板のうち、上部の補強板を除く軸支側補強板と下部補強板と開放側補強板に、前記開口部側の端辺に沿って裏側に向って垂直方向に折り曲げられて前記開口部を塞ぐ前記ガラス板を収納および支持するための２列のガラス支持溝を形成したガラス支持枠が一体的に形成される一方、前記軸支側補強板と前記開放側補強板の上端部にそれぞれ突設した取付け片の間に、前記ガラス支持枠に装着された前記ガラス板の上部押さえとして機能するストッパー部材を前後方向に回動自在に軸支したことを特徴とするパチンコ機を提供する。
【０００８】
なお、本明細書において「パチンコ機」は、いわゆるパチンコ遊技を行なうための遊技機の総称であり、特定の遊技によって限定されることを意図したものではない。従って、一般的なパチンコ遊技（典型的には、鋼球を遊技盤上の所定の入賞口に入れて所定の賞品球を獲得する遊技）の他、一定数の鋼球（以下、パチンコ球という。）を遊技盤上に射出して所定の当たり状態の成立を目的とする所謂アレンジボール遊技を行なう遊技機等も、本明細書における「パチンコ機」に包含される。また、本明細書において「ガラス」は、透明若しくは半透明の無結晶性固化物の総称であり、特定の材質に限定されるものではない。従って、典型的なケイ酸塩無機ガラスの他、例えばアクリル酸樹脂等からなる有機ガラス（いわゆるプラスチック）も本明細書における「ガラス」に包含される。
【０００９】
本発明のパチンコ機におけるガラス枠は、円形状の開口部が形成されるように合成樹脂製の複数の主要構成部材に各種の部品を組み付けて構成される枠部材と、該枠部材の裏側の開口部を除く領域に隣り合う主要構成部材に跨って固定される金属製の補強板と、からなり、該補強板のうち、上部の補強板を除く軸支側補強板と下部補強板と開放側補強板に、開口部側の端辺に沿って裏側に向って垂直方向に折り曲げられて開口部を塞ぐガラス板を収納および支持するための２列のガラス支持溝を形成したガラス支持枠が一体的に形成される一方、軸支側補強板と開放側補強板の上端部にそれぞれ突設した取付け片の間に、ガラス支持枠に装着されたガラス板の上部押さえとして機能するストッパー部材を前後方向に回動自在に軸支したので、合成樹脂製の複数の主要構成部材を組み付けて構成される枠部材に各種の部品を組み付け、裏面に補強板を固定するだけでガラス枠を組み付けることができ、ガラス枠の枠組み立て作業の工程の簡素化および迅速化を図ることができる。また、ガラス支持枠に収納および支持されるガラス板がストッパー部材によって押さえ込まれると共にガラス板の交換を簡単に行うことができる。
【００１０】
また、本発明は、前記ガラス支持枠には、その先端部を前記ベース枠に向かって突設した防犯リブが形成され、前記ベース枠に対して前記ガラス枠を閉じたときに、前記防犯リブが前記ベース枠に形成された凹部に嵌め合わされて前記遊技盤面内への異物の侵入を防止するように構成されているので、ガラス枠とベース枠との間の隙間から異物を侵入させても、その異物が防犯リブに遮られて、遊技盤の遊技盤面内に到達させることができない。
【００１１】
さらにまた、本発明は、軸支側の補強板に、ガラス支持枠と反対側の端辺の一部がベース枠方向に向かって突設され且つベース枠に対してガラス枠を閉じたときにベース枠の軸支側に付設された係合板に咬合してガラス枠の撓みを防止する係合フランジ部が一体的に形成されているので、上記ガラス枠をベース枠に閉じた場合において、当該係合フランジ部がベース枠に係合されることによって、外力によるガラス枠の軸支側の撓み発生が防止される。
【００１２】
【発明の実施の形態】
以下、本発明のパチンコ機に係る好適な一実施形態について図面に基づいて説明する。まず、パチンコ機１００の表面側の構成について、図面を参照しながら説明する。なお、図１は本実施形態に係るパチンコ機１００の正面図である。図２および図３はパチンコ機１００の概略を示す斜視図である。
【００１３】
１．パチンコ機の全体構造
このパチンコ機１００は、大まかにいって、木枠１０２、機構板７００、ベース枠５００、および遊技盤６００、前板１０６、および、本発明を特徴付けるガラス枠２００とから構成されている。このうち、後述する種々の遊技装置類を備えるパチンコ機１００本体は、木枠１０２、機構板７００、ベース枠５００、および遊技盤６００から構成されており、そのパチンコ機１００本体の表面側に前板１０６およびガラス枠２００が装備されている。機構板７００と遊技盤６００とはベース枠５００に取り付けられている。そして、機構板７００と遊技盤６００が取り付けられたベース枠５００は、木枠１０２に対して開閉可能に軸支されている。後述のとおり、ガラス枠２００はベース枠５００に対して開閉可能に軸支されており、前板１０６もベース枠５００に対して開閉可能に軸支されている。すなわち、パチンコ機１００は、図２に示すように、長方形枠状に成形された木枠１０２の前面に対して、額縁状に成形されたベース枠５００が開閉可能に軸着されている。そのベース枠５００の下方には、当該ベース枠５００と木枠１０２との隙間を埋めるため、填め板１０３が木枠１０２に嵌め込まれている。また、図３に示すように、このベース枠５００の裏面側には、本パチンコ機１００においてパチンコ遊技を実施するために必要な種々の機械式装置類を備えた機構板７００（詳細は後述する）がベース枠５００に対して開閉可能に軸着されている。また、図３に示すように、複数の締め具７０１ａを備えた支持枠７０１がベース枠５００裏面に固定されている。そして、種々のパチンコ遊技装置を装備した遊技盤６００（図２参照）と機構板７００とが、上記締め具７０１ａによってベース枠５００に固定されている。締め具７０１ａをはずすことで機構板７００をベース枠５００から開き、遊技盤６００をはずすことができる。なお、図３に示すように、ベース枠５００裏面の開放側端部には、上下二つのフック片５０１ａ，５０１ｂがスライド可能に装着されている。この結果、ベース枠５００を木枠１０２に閉じた際にはこれらフック片５０１ａ，５０１ｂが当該木枠１０２側の対応する箇所に設けられた平板の係合開口部（図示せず）に係合され、当該ベース枠５００にロック（施錠）される。なお、ベース枠５００の解錠は、後述の施錠装置５０４によって行われる。
【００１４】
一方、図２に示すように、ベース枠５００の表面側には、後述する種々の構成部材から構成されているガラス枠２００と当該ガラス枠２００の下方に隣接する前板１０６とが設けられている。これらはいずれもベース枠５００に固設された蝶着金具（後述する上ヒンジ部１６０等）によって当該ベース枠５００に開閉可能に装着されている。このガラス枠２００と前板１０６の開放側であってベース枠５００の右端中程のやや下方寄りには、後述の施錠装置５０４を作動させるための鍵を挿入する鍵穴１１４が設けられている。また、ベース枠５００の表側には、上記前板１０６の下方においてパチンコ球の受け皿の一つである下皿１１０が灰皿１１２を付設して取り付けられている。さらにその右側には、後述の発射装置５１０を起動させてパチンコ球を遊技盤面１５２上に発射させるためのハンドル１３４が回動可能に軸支されている。以下、本パチンコ機１００の表面側の各構成についてさらに詳述する。
【００１５】
２．ガラス枠
まず、本パチンコ機１００におけるガラス枠２００の構成について図面を参照しつつ説明する。なお、図４はガラス枠２００を構成する主要構成部材の背面図であり、図５は当該各主要構成部材を組み付けた状態を示す背面図である。また、図６（Ａ）は、本ガラス枠２００の背面図である。また、図７および図８は、各々、本ガラス枠２００に装着された各種基板の配置および配線状態を模式的に示す正面図および背面図である。
【００１６】
（２−１）ガラス枠の全体構成
図１および図２に示すように、本実施形態に係るガラス枠２００は、パチンコ機１００の外観における装飾効果を高めるべくデザインの統一性を企図して構築されたものであり、後述する種々の部品類を装着あるいは配置するための凹凸形状を有する合成樹脂製の部材をその主要構成部材とするものである。そして、このガラス枠２００の中央部には、ベース枠５００に装着された遊技盤６００の遊技盤面１５２が透視され得るように円形状の開口部２００ａが形成されている。
【００１７】
本ガラス枠２００は、所定の形態に予め形成された複数の組み立て部品ユニットを後述する手順に従って組み付けることによって構築されたものである。図４に示すように、本ガラス枠２００の外形は、基本的には枠の上部および下部を各々構成する合成樹脂製の上枠部材２０１および下枠部材２０５、ならびに左右両側部を構成する半透明の合成樹脂製の装飾部材２０２ａ，２０２ｃを組み付けることによって構成されている。以下、本ガラス枠２００を構成する各組み立て部品ユニットについて説明する。
【００１８】
図４に示すように、ガラス枠２００における枠上部を構成する組み立て部品ユニット（以下「上部構成ユニット」という。）は、上枠部材２０１を主要構成部材とするものである。この上枠部材２０１は一体成形された合成樹脂製であり、後述する種々の部品類を装着あるいは配置するための凹凸形状を有している。図１および図４に示すように、この上枠部材２０１には、パチンコ機１００の表面側からみて左右一対の凸部２０１ａ，２０１ｂが形成されている。これら凸部２０１ａ，２０１ｂには複数のスリットが設けられており、当該スリットには半透明の樹脂製のカバー部材２１４が取り付けられている（図１）。また、図８に示すように、これら凸部２０１ａ，２０１ｂの裏面側（即ちパチンコ機１００本体に面する側。以下同じ。）には、各々、ＬＥＤ基板２０６ｂ，２０６ｄが装着されている。これにより、上記カバー部材２１４の位置に複数のＬＥＤ２１１ａ，２１１ｂ，２１１ｃを配置することができる（図７参照）。
【００１９】
一方、上枠部材２０１の両凸部２０１ａ，２０１ｂに挟まれた中央部分の表面側（即ち、パチンコ機１００の正面側。以下同じ。）には、ランプ基板２０６ｃを取り付けるための位置決め片を備えた基板取付け部（図示せず）が形成されており、当該基板取付け部には後述する複数個のランプ２０８ａ，２０８ｂを備えたランプ基板２０６ｃが装着されている（図７参照）。このとき、図４に示すように、上枠部材２０１には上記ランプ基板２０６ｃを当該上枠部材２０１に装着した際の各ランプの配置に合わせてランプ取付け穴２０９が設けてある。このことによって、後述するように、ランプ基板２０６ｃを上枠部材２０１からいちいち取り外すことなく、ランプの装着または交換をガラス枠２００の裏面側から容易に行うことができる。
【００２０】
また、図７および図８に示すように、上記ランプ基板２０６ｃと左右一対のＬＥＤ基板２０６ｂ，２０６ｄとは、コネクタ２１３ｅ，２１３ｆ，２１３ｇ，２１３ｈを有する配線ケーブル２１０ｃ，２１０ｄによって電気的に接続されている。すなわち、上枠部材２０１には上記ランプ基板２０６ｃの近傍において配線用スリット２１２が設けられており、この配線用スリット２１２に上記配線ケーブル２１０ｃ，２１０ｄを通すことによって、上枠部材２０１の表面側に装着されたランプ基板２０６ｃと上枠部材２０１の裏面側に装着されたＬＥＤ基板２０６ｂ，２０６ｄとを相互に接続することができる。さらに、当該ＬＥＤ基板２０６ｂ，２０６ｄには、両端にコネクタ２１３ｃ，２１３ｄ，２１３ｉ、２１３ｊを有する配線ケーブル２１０ｂ，２１０ｅが別途装着されており（図７および図８）、ガラス枠２００の左右両側部に配置される後述のランプ基板２０６ａ，２０６ｅと電気的に接続させることができる。なお、図１に示すように、上枠部材２０１の中央部表面側には半透明の樹脂製の装飾部材２０２ｂが装着されており、上記ランプ基板２０６ｃを被覆している。
【００２１】
次に、ガラス枠２００における枠下部を構成する組み立て部品ユニット（以下「下部構成ユニット」という。）について説明する。図４に示すように、本実施形態に係る下部構成ユニットは、下枠部材２０５を主要構成部材とするものである。この下枠部材２０５は、一体成形された合成樹脂製であり、後述する種々の部品類を装着あるいは配置するための凹凸形状を有している。なお、下枠部材２０５の下縁部分は裏面側に折れ曲がってリブを形成しており、後述する前板１０６上端部の防犯フランジ部１２０と咬合され得る。図１および図４に示すように、この下枠部材２０５には左右一対の飾り窓２０４ａ，２０４ｂが設けられている。このため、後述するように、パチンコ機１００に係る関係者は、ベース枠５００からガラス枠２００を開放することなく当該飾り窓２０４ａ，２０４ｂを通して遊技盤面１５２上に張り付けられた証紙類等を透視することができる。また、下枠部材２０５の中央部分には後述する操作ユニット３０４を装備するための収納部２０４ｃが形成されている（図４）。
【００２２】
次に、ガラス枠２００における左右両側部を構成する組み立て部品ユニット（以下「側部構成ユニット」という。）について説明する。図４に示すように、本実施形態に係る側部構成ユニットは、各々、装飾部材２０２ａ，２０２ｃを主要構成部材とするものである。これら装飾部材２０２ａ，２０２ｃは、上部構成ユニットにおいて上枠部材２０１の中央部表面側に装着された装飾部材２０２ｂと同様のデザインが施された半透明の樹脂製部材である。これら装飾部材２０２ａ，２０２ｃの上縁部および下縁部には、嵌合用溝（図示せず）あるいはビス取付け穴２０３ｃを設けた係合片２０３ａが形成されており、後述する手順に基づいて上記上枠部材２０１および下枠部材２０５と組み付けることができる。また、これら装飾部材２０２ａ，２０２ｃの上縁部および下縁部には、後述する基板取付け板２０７を当該装飾部材２０２ａ，２０２ｃに取り付けるための取付け片２０３ｂが設けられている。
【００２３】
以上のとおり、本実施形態に係る上部構成ユニット、下部構成ユニット、および側部構成ユニットは、各々、独立して作製され得るガラス枠２００構築用組み立て部品ユニットである。すなわち、上記各構成ユニットは何れも他のユニットの作製状況に依存することなく相互に独立した平行作業によって組み立てることができる。従って、本パチンコ機１００を大量に製造する場合等におけるガラス枠２００組み立て作業の際には上記各構成ユニットを個々別々に必要に応じて供給することができるため、当該作業効率を向上させると共に当該作業時間を短縮することができる。以下、上述の各構成ユニットを組み付けて成る本ガラス枠２００の構築手順の一態様を説明する。
【００２４】
まず、上部構成ユニットと左右両側部構成ユニットとの組み付けについて説明する。図４に示すように、上枠部材２０１の両凸部２０１ａ，２０１ｂにおける裏面側下縁部分には、上記側部構成ユニットを構成する装飾部材２０２ａ，２０２ｃを係合するための係合リブ２０１ｃが当該裏面に対して垂直方向に突設されている。また、上枠部材２０１の下縁部分であって上記係合リブ２０１ｃの近傍には、左右両側部構成ユニットおよび後述する補強板２５４、２６０をビス着するための取付けボス２０１ｄが左右に一対ずつ形成されている。その一方で、両装飾部材２０２ａ，２０２ｃの上縁部には、図４に示すように、上述の嵌合用溝を設けた係合片２０３ａが形成されている。而して、図５に示すように、上記係合片２０３ａの嵌合用溝に上枠部材２０１の係合リブ２０１ｃを嵌めこむことによって、上部構成ユニットと左右両側部構成ユニットとを仮止め状態で連結することができる。
【００２５】
また、上述のとおり、両装飾部材２０２ａ，２０２ｃの下縁部においても嵌合用溝あるいはビス取付け穴２０３ｃを設けた係合片２０３ａが形成されている。これに対応して、下枠部材２０５の裏面側上縁部分には、上記上枠部材２０１と同様、両装飾部材２０２ａ，２０２ｃを係合するための係合リブ２０５ａが当該裏面に対して垂直方向に突設されるとともに、その近傍には左右両側部構成ユニットおよび後述する補強板２５４、２６０をビス着するための取付けボス２０５ｄが左右に一対ずつ形成されている。而して、図５に示すように、上記係合片２０３ａの嵌合用溝に下枠部材２０５の係合リブ２０５ａを嵌めこみ、更に上記係合片２０３ａのビス取付け穴２０３ｃと下枠部材２０５の取付けボス２０５ｄ（但し外側に配置されているもの；図５参照）とを重ね合わせつつビス着することによって、下部構成ユニットと左右両側部構成ユニットとを連結することができる。
【００２６】
上述のとおり、上枠部材２０１（上記仮止め状態）および下枠部材２０５（上記ビス着状態）に連結された左右両装飾部材２０２ａ，２０２ｃの裏面側には、次いで、ランプ基板２０６ａ，２０６ｅ（図７）を予め装着した樹脂製の基板取付け板２０７が取り付けられる。すなわち、図４および図５に示すように、装飾部材２０２ａ，２０２ｃの上縁部および下縁部には、取付け片２０３ｂが設けられているとともに、対応する基板取付け板２０７の位置には取付け穴２０７ａ（図６（Ａ））が設けられている。而して、当該取付け片２０３ｂと当該取付け穴２０７ａとを係合させる（好ましくはさらにビス（図示せず）で締着する）ことによって、基板取付け板２０７を左右の装飾部材２０２ａ，２０２ｃに各々取り付けることができる（図６（Ａ）参照）。一方、図６（Ａ）に示すように、基板取付け板２０７の上端部および下端部は、各々、上枠部材２０１および下枠部材２０５の縁部と重なり合うように延伸されている。この延伸部分（即ち重なり部分）には、上枠部材２０１の下縁部および下枠部材２０５の上縁部に設けられた上記ビス着用取付けボス２０１ｄ，２０５ｄに各々対応するビス取付け穴２０７ｄ（図６（Ａ）参照）が設けられており、これらビス取付け穴２０７ｄを各々対応する上記取付けボス２０１ｄ，２０５ｄに重ね合わせつつビス着することによって、当該基板取付け板２０７を上枠部材２０１および下枠部材２０５に止着することができる。すなわち、このことによって、両側部構成ユニットが上部構成ユニットおよび下部構成ユニットに止着される。このとき、図７および図８に示すように、両基板取付け板２０７に装着されているランプ基板２０６ａ、２０６ｅは、各々、上記コネクタ２１３ｃ，２１３ｄ，２１３ｉ，２１３ｊを有する配線ケーブル２１０ｂ，２１０ｅによって、上枠部材２０１に装着されているＬＥＤ基板２０６ｂ，２０６ｄと電気的に接続される。なお、ガラス枠２００軸支側における側部構成ユニット（図７における左側）に配置されたランプ基板２０６ａの一端にはコネクタ２１３ｂを介して配線ケーブル２１０ａが装着されている。そして、この配線ケーブル２１０ａは、後述する配線引出し口２１８（図６（Ａ））より引き出され、コネクタ２１３ａを介してパチンコ機１００本体側に設けられた枠制御装置７５８（図３０参照）に接続されている。
【００２７】
一方、基板取付け板２０７には、上述の上枠部材２０１と同様、ランプ基板２０６ａ，２０６ｅを当該基板取付け板２０７に装着した際の各ランプの配置に合わせてランプ取付け穴２０９が設けてある（図８参照）。このことによって、後述するように、基板取付け板２０７を装飾部材２０２ａ，２０２ｃからいちいち取り外すことなく、ランプの装着または交換をガラス枠２００の裏面側から容易に行うことができる。なお、上記構築手順によって構築されたガラス枠２００においてのランプの装着または交換については、後述する図２０の説明ととともに詳述する。
【００２８】
次に、図６を参照しつつ本実施形態に係るガラス枠２００の裏面側に設けられた補強板２５２，２５４，２５６，２６０について説明する。上記手順に従って構築されたガラス枠２００の裏面には、金属製補強板２５２，２５４，２５６，２６０が当該ガラス枠２００の裏面側をほぼ覆うようにしてビス着されている。すなわち、図６（Ａ）に示すように、本実施形態においては、ガラス枠２００上部であってＬＥＤ基板２０６ｂ，２０６ｄの上方域に配置される補強板２５２（以下「上部補強板２５２」という。）、ガラス枠２００の軸支側において上下に亘って配置される補強板２５４（以下「軸支側補強板２５４」という。）、ガラス枠２００の開放側において上下に亘って配置される補強板２６０（以下「開放側補強板２６０」という。）、ならびに、ガラス枠２００下部であって飾り窓２０４ａ，２０４ｂの下方域に配置される補強板２５６（以下「下部補強板２５６」という。）の計４枚の補強板２５２，２５４，２５６，２６０が、ガラス枠２００の裏面側に装着されている。このことによって、本ガラス枠２００の剛性を高めている。
【００２９】
このうち、軸支側補強板２５４および開放側補強板２６０の一端（すなわち中央開口部２００ａ側）はガラス枠２００裏面に対して垂直方向に折り曲げられており、後述するガラス支持枠２５４ａ，２６０ａを形成している。一方、下部補強板２５６は、上記軸支側補強板２５４および開放側補強板２６０に設けられたガラス支持枠２５４ａ，２６０ａに対応するガラス支持枠２５６ａと、ガラス枠２００の開放側下部であって当該ガラス支持枠２５６ａ構成部分の下方に配置される開放側補強部２５６ｃと、ガラス枠２００の軸支側下部であって当該ガラス支持枠２５６ａ構成部分と軸支側飾り窓２０４ａとの間に配置される軸支側補強部２５６ｂとから構成されている。すなわち、図６（Ｂ）に示すように、本実施形態にかかる下部補強板２５６は、そのガラス支持枠２５６ａ部分を軸としてほぼ直角に折り曲げられた開放側補強部２５６ｃと、それとは反対方向にほぼ直角に折り曲げられた軸支側補強部２５６ｂとが一体に成型されたものである。なお、これら補強板２５４，２５６，２６０に設けられたガラス支持枠２５４ａ，２５６ａ，２６０ａの詳細については後述する。
【００３０】
また、上部補強板２５２、軸支側補強板２５４および開放側補強板２６０には、各々、上枠部材２０１および基板取付け板２０７に設けられているランプ取付け穴２０９（図８参照）の位置と一致させたランプ取付け穴２２０ａが設けてある。このため、ガラス枠２００の裏面側から当該補強板２５２，２５４，２６０を取り外すことなく上記ランプ基板２０６ａ，２０６ｃ，２０６ｅにランプを装着または交換することができる。
【００３１】
上記のように、本ガラス枠２００は、予め調製された複数の組み立て部品ユニットを組み付けることによって構築し得るため、当該ガラス枠２００の組み立て作業を各組み立て部品ユニット毎のルーチンワークで行うことができる。このため、ガラス枠２００の組み立て作業効率を向上させることができる。さらには、各組み立て部品ユニットがコンパクトであるため、ガラス枠２００組み立て作業時における当該部品ユニットの持ち運びが容易である。また、上述のとおり、本発明における上記各組み立て部品ユニットは、上記組み立て作業を全て一方向（即ち、ガラス枠２００裏面側）から実施し得るように構成されている。従って、ガラス枠２００の組み立て作業時において、各部品ユニットを反転させる必要がないため、ガラス枠２００の組み立て作業効率を一層向上させることができる。
【００３２】
さらに、本発明における上記各組み立て部品ユニットには、ランプ基板２０６ａ，２０６ｃ、２０６ｅおよびＬＥＤ基板２０６ｂ，２０６ｄが予め配置されているとともに、これら基板相互の接続が上述のコネクタ２１３ｃ，２１３ｄ，２１３ｅ，２１３ｆ，２１３ｇ，２１３ｈ，２１３ｉ，２１３ｊおよび配線ケーブル２１０ｂ，２１０ｃ，２１０ｄ，２１０ｅによって行えるように構成されている。このため、本ガラス枠２００の組み立て作業時における煩わしい基板の取付け作業および配線処理が簡素化され、ガラス枠２００の組み立て作業効率をより一層向上させることができる。さらにまた、本発明における上記各組み立て部品ユニットは、パチンコ機１００の正面側からみて、左右両側面の装飾部材２０２ａ，２０２ｃの境で連結されるように構成されている。従って、パチンコ機１００の正面側から各ユニットの継目が目立つことがなく、本パチンコ機１００の外観を損なうことがない。
【００３３】
ところで、本実施形態においては上記各構成ユニットを連結した後に上記基板取付け板２０７を装飾部材２０２ａ，２０２ｃに取り付けているが、この手順に限定する必要はない。先ず、各装飾部材２０２ａ，２０２ｃに基板取付け板２０７を取り付けて側部構成ユニットを組み立てておき、その後に当該側部構成ユニットを上記上部構成ユニットおよび下部構成ユニットと連結させる手順によっても本ガラス枠２００を好適に構築することができる。あるいは、上述のガラス枠２００構築手順では上記４枚の補強板２５２，２５４，２５６，２６０を個々にガラス枠２００裏面に装着しているが、この方法に代えて、当該４枚の補強板２５２，２５４，２５６，２６０をリベット等の固定・接合手段によって予め一体化した補強板構成ユニットを作製しておき、上記各構成ユニットと当該一体化した補強板構成ユニットとから本ガラス枠２００を構築する手段によってもよい。以下、このような補強板構成ユニットを用い、上述の手順とは異なる態様で本ガラス枠２００を構築する場合の一好適例を説明する。
【００３４】
先ず、上述した手順と同様に、上部構成ユニット、下部構成ユニット、左右両側部構成ユニットを別々に作製する。但し、上記手順とは異なり、左右両側部構成ユニットについては、装飾部材２０２ａ，２０２ｃに予め基板取付け板２０７を取り付けることによってユニット化しておく。すなわち、上述のとおり、コネクタ２１３ｂ，２１３ｃ，２１３ｊや配線ケーブル２１０ａを配したランプ基板２０６ａ，２０６ｅを予め装着した各基板取付け板２０７に設けられた上記取付け穴２０７ａと、装飾部材２０２ａ，２０２ｃの上縁部および下縁部に設けられた上記取付け片２０３ｂとを係合させることによって、基板取付け板２０７を対応する左右の装飾部材２０２ａ，２０２ｃに各々係着させた左右両側部構成ユニットを組み立てる。併せて、上述のとおり、本態様においては、上記４枚の補強板２５２，２５４，２５６，２６０を予めリベットによって接合・一体化した補強板構成ユニットを作製しておき、上部構成ユニット、下部構成ユニット、および左右両側部構成ユニットと共に本ガラス枠２００構築のために用いる。
【００３５】
本態様のガラス枠２００構築手順においては、次いで、上部構成ユニット、下部構成ユニット、ならびに、ランプ基板２０６ａ，２０６ｅおよび基板取付け板２０７を備えた上記左右両側部構成ユニットを仮止め状態で相互に連結する。すなわち、上枠部材２０１に設けられた上記係合リブ２０１ｃと両装飾部材２０２ａ，２０２ｃの上縁部に設けられた上記係合片２０３ａとを係合し、かつ、下枠部材２０５に設けられた上記係合リブ２０５ａと両装飾部材２０２ａ，２０２ｃの下縁部に設けられた上記係合片２０３ａとを係合することによって、上部構成ユニット、下部構成ユニットおよび左右両側部構成ユニットを仮止め状態で連結することができる（図４および図５参照）。なお、上述の手順とは異なり、本態様においては、この段階で各構成ユニット相互のビス着を行わない。
【００３６】
次に、この仮止めの状態において、上枠部材２０１に配置されている各ＬＥＤ基板２０６ｂ，２０６ｄのコネクタ２１３ｄ，２１３ｉと各基板取付け板２０７に配置されているランプ基板２０６ａ，２０６ｅのコネクタ２１３ｃ，２１３ｊとを図８に示すように接続することによって、上部構成ユニットあるいは左右両側部構成ユニットに配置されているランプ基板２０６ａ，２０６ｃ，２０６ｅおよびＬＥＤ基板２０６ｂ，２０６ｄが配線ケーブル２１０ｂ，２１０ｃ，２１０ｄ，２１０ｅを介して電気的に接続される。
【００３７】
そして、上記一体化した補強板構成ユニットを上記仮止め状態の各構成ユニットからなるガラス枠２００裏面に配置し、これら構成ユニットをまとめてビス着することによって、本ガラス枠２００の構築が完了する。以下、このことを詳述する。上記一体化した補強板構成ユニットの軸支側補強板２５４あるいは開放側補強板２６０に相当する部分には、仮止め状態における上枠部材２０１および下枠部材２０５の上記ビス着用取付けボス２０１ｄ，２０５ｄ（但し外側に配置されているもの；図６（Ａ）参照）に対応する箇所に予めビス取付け穴２０３ｅが設けられており、結果、この補強板構成ユニットを仮止め状態のガラス枠２００裏面に配置した際には当該ビス取付け穴２０３ｅと上記ビス着用取付けボス２０１ｄ，２０５ｄとが重ね合わさることとなる（図６（Ａ））。このとき、上述のとおり、上記取付けボス２０１ｄ，２０５ｄにはすでに、基板取付け板２０７の上記延伸部分に設けられているビス取付け穴２０７ｄが重ね合わさっており（図６（Ａ）参照）、加えて、下枠部材２０５外側に配置される取付けボス２０５ｄには、装飾部材２０２ａ，２０２ｃの下縁部係合片２０３ａに設けられているビス取付け穴２０３ｃがさらに重ね合わさっている（図５参照）。
【００３８】
而して、上記種々の部材（ユニット）が重ね合わさった状態の取付けボス２０１ｄ，２０５ｄにビスを締着することによって、当該取付けボス２０１ｄ，２０５ｄに各々係合される種々の部材が当該一つのビスによって相互に止着される。例えば、下枠部材２０５における軸支側かつ外側の取付けボス２０５ｄ（図４参照）においては、図３６に模式的に示すように、当該下枠部材２０５、装飾部材２０２ａ、基板取付け板２０７および補強板構成ユニット（即ち、軸支側補強板２５４部分）が一つのビス２１５によって相互に止着される。同様に、下枠部材２０５における開放側かつ外側の取付けボス２０５ｄ（図４参照）においては、当該下枠部材２０５、装飾部材２０２ｃ、基板取付け板２０７および補強板構成ユニット（即ち、開放側補強板２６０部分）が一つのビスによって相互に止着される。また、下枠部材２０５の内側に配置された取付けボス２０５ｄにおけるビス締めによっては、当該下枠部材２０５および基板取付け板２０７が一つのビスによって止着される。他方、上枠部材２０１の外側に配置された取付けボス２０１ｄにおけるビス締めによっては、当該上枠部材２０１、基板取付け板２０７および補強板構成ユニット（即ち、軸支側補強板２５４部分あるいは開放側補強板２６０部分）が一つのビスによって相互に止着される。また、上枠部材２０１の内側に配置された取付けボス２０１ｄにおけるビス締めによっては、当該上枠部材２０１および基板取付け板２０７が一つのビスによって止着される。
【００３９】
以上のとおり、本態様のガラス枠２００構築手順によれば、補強板構成ユニットを予め作製しているため、最初に説明したガラス枠２００構築手順と同様に全ての組み立て作業をガラス枠２００裏面側から実施し得ることに加え、さらにビス締めの回数を減らすことができ、さらに作業時間（特に補強板装着にかかる時間）の短縮を図ることができる。
【００４０】
なお、本手順における種々の部材のビス着は、上述の方法に限るものではなく、装飾部材２０２ａ，２０２ｃおよび／または基板取付け板２０７における係合部分（上記係合片２０３ａやビス取付け穴２０７ｄ等）の設計変更により、種々の態様が実現され得る。例えば、装飾部材２０２ａ，２０２ｃ上縁部の係合片２０３ａに上枠部材２０１の取付けボス２０１ｄに適合するビス取付け穴２０３ｃを設けた場合、上枠部材２０１の外側に配置された取付けボス２０１ｄにおけるビス締めによって当該装飾部材２０２ａ，２０２ｃを上枠部材２０１、基板取付け板２０７および補強板構成ユニットと共に一つのビスによって固着することができる。また、装飾部材２０２ａ，２０２ｃ下縁部の係合片２０３ａに、下枠部材２０５の内側に配置された取付けボス２０５ｄに適合し得るビス取付け穴２０３ｃを増設することによって、外側の取付けボス２０５ｄと同様、下枠部材２０５の内側に配置された取付けボス２０５ｄにおいても、当該取付けボス２０５ｄにおけるビス締めによって、当該装飾部材２０２ａ，２０２ｃを下枠部材２０５および基板取付け板２０７と共に一つのビスによって固着することができる。あるいは、上記上枠部材２０１または下枠部材２０５と上記補強板構成ユニットとを上記取付けボス２０１ｄ，２０５ｄにおいてビス着することによって装飾部材２０２ａ，２０２ｃと当該補強板構成ユニットとの間で基板取付け板２０７を挟持し得る限り、必ずしも当該基板取付け板２０７を上記取付けボス２０１ｄ，２０５ｄにおいて直接ビス着する必要はない。この場合、基板取付け板２０７のビス取付け穴２０７ｄを省くことができる。あるいはまた、上記全ての取付けボス２０１ｄ，２０５ｄにおいてビス着することが最も好ましいことではあるが、構築されたガラス枠２００の強度が保たれる限りにおいて、上記取付けボス２０１ｄ，２０５ｄのうちの一つまたは複数箇所においてビス締めを省くことも可能である（例えば上枠部材２０１および／または下枠部材２０５における左右内側の取付けボス２０１ｄ，２０５ｄ）。以上、本手順におけるビス着の態様をいくつか例示したが、これらは本明細書に開示された事項に基づく当業者の設計事項にすぎないものであり、本発明に包含される実施行為である。以下、本ガラス枠２００の特徴的な構成部分について詳述する。
【００４１】
（２ー２）ガラス枠の取付け構造および開閉機構
先ず、本ガラス枠２００のパチンコ機１００本体（ここではベース枠５００）への取付け構造および当該ガラス枠２００の開閉機構について説明する。図２および図６（Ａ）に示すように、本ガラス枠２００に装着されている軸支側補強板２５４の上端部には上端ヒンジ部２２４が設けられている。この上端ヒンジ部２２４には、図示しないスプリングの付勢力に基づいて上方に付勢されているヒンジピン２２４ａが備えられている。また、軸支側補強板２５４の下端部には、係合穴を有する下端ヒンジ部材２２５がビス着されている。他方、ベース枠５００の軸支側上端部には係合穴を有する上ヒンジ支持部１６０が設けられており、ベース枠５００の軸支側下方であって上記前板１０６の装着部位の直上部分には垂直方向に突設されたヒンジピンを備えた中ヒンジ支持部（図示せず）が設けられている。而して、本ガラス枠２００は、下端ヒンジ部材２２５の係合穴にベース枠５００に設けられた上記中ヒンジ支持部のヒンジピンを差し込む一方、上記上端ヒンジ部２２４のヒンジピン２２４ａをスプリング付勢力に抗して押し下げつつ当該ベース枠５００に設けられた上記上ヒンジ支持部１６０の係合穴に差し込むことによって、当該ベース枠５００に開閉自在かつ着脱可能に軸支されている。
【００４２】
次に、ガラス枠２００の開閉動作に係る当該ガラス枠の構成部分について図面を参照しつつ説明する。なお、図１０は図１におけるＡ−Ａ線矢視断面図であり、図１１はガラス枠の開閉状態を示すための図１０における軸支側部分断面図である。また、図１２および図１３はガラス枠２００（開放側）のベース枠５００への開閉動作を模式的に示した図である。図２および図６（Ａ）に示すように、開放側補強板２６０の側端部には、本ガラス枠２００の開放側撓み防止手段に相当する計３個の金属製のフック片２２１ａ，２２１ｂ，２２１ｃが枠の上下に亘ってほぼ等間隔に突設されている。一方、ベース枠５００の開放側には、当該フック片２２１ａ，２２１ｂ，２２１ｃに対応する位置において後述する施錠装置５０４に連通する係合穴２２２ａ，２２２ｂ，２２２ｃが設けられている（図２）。而して、図１２および図１３に示すように、ガラス枠２００をベース枠５００に閉じた際にはこれらフック片２２１ａ，２２１ｂ，２２１ｃが当該ベース枠５００側の対応する箇所に設けられた係合穴２２２ａ，２２２ｂ，２２２ｃに係合され、当該ガラス枠２００がロック（施錠）される（図１３）。なお、ガラス枠２００の解錠はベース枠５００に設けられた後述の施錠装置５０４によって行われる。
【００４３】
以上のとおり、本パチンコ機１００においては上記フック片２２１ａ，２２１ｂ，２２１ｃをガラス枠２００開放側に３個設けているため、ガラス枠２００開放側のパチンコ機１００本体（ベース枠５００）への各係合部（即ち上記フック片２２１ａ，２２１ｂ，２２１ｃ）相互の間隔を短くすることができ、結果、当該ガラス枠２００のロック状態における外力に対する剛性を高めることができる。従って、本パチンコ機１００においては、ガラス枠２００の撓み防止手段としてフック片をガラス枠２００開放側に３個またはそれ以上設けることによって、不心得な遊技者等がベース枠５００にロックされた状態のガラス枠２００開放側を無理に引っ張って開けようとする場合であっても、従来のパチンコ機に装着されるガラス枠（即ち、フック片を２個備えたもの）のように当該ガラス枠２００が大きく撓むことがない。その結果、当該ガラス枠２００の撓みに基づくガラス板２５０の装着位置のずれ（がたつき）や当該撓みによって生じた隙間への異物挿入等の不正行為を防止することができる。
【００４４】
また、図６（Ａ）に示すように、ガラス枠２００の軸支側補強板２５４の軸支側の端部であって上端ヒンジ部２２４と下端ヒンジ部材２２５との間の中央辺りには、本ガラス枠２００における軸支側撓み防止手段に相当する係合フランジ部２５４ｂが設けられている。なお、本実施形態においては、この係合フランジ部２５４ｂは軸支側補強板２５４の端部を一部垂直方向に折り曲げることによって形成されている（図１０）。さらに、この係合フランジ部２５４ｂの頂端部は、図１０に示すように、逆Ｌ字型に折り曲げられている。一方、図１１に示すように、ベース枠５００表面の対応する位置において、ガラス枠２００をベース枠５００に閉じた際に上記係合フランジ部２５４ｂの逆Ｌ字型先端部が挿入され得る係合溝５０３が形成されているとともに当該係合溝５０３には金属製の係合板５０３ａが埋設されている。ここで、係合板５０３ａの外側先端部はパチンコ機１００内側方向に折り曲げられて係合片を形成している（図１１（Ａ）参照）。而して、図１１（Ｂ）に示すように、本ガラス枠２００をベース枠５００に閉じた際には、上記係合フランジ部２５４ｂが上記係合溝５０３に挿入されるとともに、その逆Ｌ字型頂端部と上記係合板５０３ａの内側方向に折り曲げられた先端部の係合片とが咬合されることとなる。従って、本パチンコ機１００においては、ガラス枠２００の撓み防止手段として設けられた当該係合フランジ部２５４ｂと上記係合板５０３ａとが咬合されることによって、不心得な遊技者等がガラス枠２００の軸支側を無理に引っ張るような場合であっても当該ガラス枠２００が撓むことがなく、ガラス枠２００とベース枠５００との間に不正行為（異物挿入等）につながる隙間を生じさせることがない。
【００４５】
（２−３）ガラス支持枠
次に、本ガラス枠２００におけるガラス支持部として設けられたガラス支持枠について図面を参照しつつ説明する。なお、図１４は図１におけるＢ−Ｂ線矢視断面図である。上述のとおり、軸支側補強板２５４、下部補強板２５６および開放側補強板２６０には、中央開口部２００ａの上方を除く三方を包囲するようにして、本ガラス枠２００におけるガラス支持枠２５４ａ，２５６ａ，２６０ａが形成されている（図２および図６（Ａ）参照）。なお、図６（Ｂ）に示すように、下部補強板２５６におけるガラス支持枠２５６ａの中央付近には一部切り欠きが形成されているが、この部分は後述する発射装置５１０からパチンコ球を遊技盤面１５２上に打ち出すための一般的な発射レール（図示せず）を配置するスペースを確保するためのものであり、ガラス支持枠２５６ａとしての本質的機能を何等損なうものではない。而して、これらガラス支持枠２５４ａ，２５６ａ，２６０ａには、上記中央開口部２００ａを塞ぐための方形状ガラス板２５０を収納および支持するためのガラス支持溝が２列並ぶように成形されている（図１０参照）。これにより、本ガラス枠２００においてはガラス支持枠を設けていない上方より、２枚の方形状ガラス板２５０を１枚ずつ当該２列のガラス支持溝に嵌装することができる。
【００４６】
このように、本パチンコ機１００においては、ガラス枠２００裏面に装着した各補強板２５４，２５６，２６０にガラス支持枠２５４ａ，２５６ａ，２６０ａが一体的に形成されている。このため、ガラス枠２００に装着する部品数の減少をもたらし、ひいてはガラス枠２００組み立て工程の簡素化を図ることができる。また、上述のとおり、本ガラス枠２００においてはガラス支持枠２５４ａ，２５６ａ，２６０ａを形成するために補強板２５４，２５６，２６０の一部が折り曲げられているため、単なるフラットな平板状の補強板を備えた従来のガラス枠よりも曲げに対する剛性を大幅に向上させることができる。さらに、本ガラス枠２００においては、上記ガラス支持枠２５４ａ，２５６ａ，２６０ａを設けたことで、円形の中央開口部２００ａを塞ぐ部材として一般的な汎用方形状ガラス板２５０を適用することができる。このため、従来の樹脂製装飾ガラス枠におけるような個々のデザインに応じた特別形状（円形）のガラスを限定的に製造する必要がなく、ガラス枠製造コストを引き下げることができる。
【００４７】
（２−４）ガラス保持機構
次に、上記ガラス支持枠２５４ａ，２５６ａ，２６０ａに嵌装されたガラス板２５０を固定・保持するために備えられたガラス保持機構について説明する。なお、図２９は本実施形態に係るガラス保持機構の動作を示す一部破断の側面図である。図６（Ａ）に示すように、軸支側補強板２５４および開放側補強板２６０に各々形成されたガラス支持枠２５４ａ，２６０ａの上端部には、左右一対の取付け片２２８が凸片状に突設されている。この取付け片２２８には上記嵌装された２枚のガラス板２５０をガラス支持枠２５４ａ，２５６ａ，２６０ａに固定・保持するための合成樹脂製ストッパー部材２２６が着脱自在に装着されている。以下、これら取付け片２２８と樹脂製ストッパー部材２２６とからなる本パチンコ機１００におけるガラス保持機構について詳述する。
【００４８】
このストッパー部材２２６は、本ガラス保持機構の可動部分であって、ガラス板２５０嵌装時には本ガラス枠２００における上部ガラス押さえとして機能し得るものであり、両側面のガラス支持枠２５４ａ，２６０ａ間に架設されるようにして装着されている（図２参照）。すなわち、図２９に示すように、本ストッパー部材２２６は上記ガラス支持溝に対応する溝を形成するとともに中央部が下方に出っ張った凹凸形状に成形されている。一方、ストッパー部材２２６の両端部は上記ガラス支持枠２５４ａ，２６０ａの側面に至るまで延伸されており、当該延伸部分には長穴２２６ａが形成されている。そして、この長穴２２６ａに上記取付け片２２８を係合することによって、本ストッパー部材２２６は両ガラス支持枠２５４ａ，２６０ａ間に回動可能に渡接されている。次に、図２９に基づいて、ガラス板２５０着脱時における本ストッパー部材２２６の作動について説明する。
【００４９】
先ず、図２９（Ａ）に示すように、ストッパー部材２２６を手前に引き倒した状態としておき、ガラス板２５０をガラス支持枠２５４ａ，２５６ａ，２６０ａに設けられたガラス支持溝に上方から差し込む。次いで、取付け片２２８を回転軸としてストッパー部材２２６の内辺部２２６ｄがガラス枠２００本体裏面（具体的には上部補強板２５２表面；図６（Ａ））に密接する状態（ほぼ垂直状態）になるまで本ストッパー部材２２６を回動させる（図２９（Ｂ）参照）。そして、図２９（Ｃ）に示すように、ストッパー部材２２６の上記中央下部出っ張り部分の一部が２枚のガラス板２５０の間に填め込まれるようになる迄、当該ストッパー部材２２６を取付け片２２８に沿って真下に降ろすことによってガラス板２５０の嵌装が完了する。このとき、図２９に示すように、本ストッパー部材２２６の上記延伸部分（長穴２２６ａを構成する外周部分）には、本ガラス枠２００におけるガラス板２５０のがたつき防止手段として制動凸部２２６ｃが左右対称に形成されており、当該ストッパー部材２２６の不用意な揺れを防止している。すなわち、本ストッパー部材２２６における上記制動凸部２２６ｃは、上記内辺部２２６ｄがガラス枠２００本体裏面に密接するのと同時に当該ガラス枠２００本体裏面（具体的には軸支側補強板２５４および開放側補強板２６０の表面；図６（Ａ））に密接するように設計されている。その結果、図２９（Ｃ）に示すように、ガラス板２５０嵌装時に当該ストッパー部材２２６は上記内辺部２２６ｄおよび制動凸部２２６ｃの２カ所においてガラス枠２００本体裏面に当接されることとなる。これにより、ガラス板２５０嵌装時（図２９（Ｃ）に示す状態）において、本ストッパー部材２２６とガラス枠本体との間に隙間（遊び）が生じるのを防止し、ストッパー部材２２６のがたつきを防ぐことができる。従って、本パチンコ機１００においては、ガラス枠２００を開放した際や不心得な遊技者等が無理にガラス枠２００をこじ開けようとする行為に及んだ場合のようなガラス枠２００自体が揺動し得る状態においても、本ストッパー部材２２６の不用意な揺れ（がたつき）および当該揺れに基づくガラス板２５０の装着位置のずれ（がたつき）が起こらない。
【００５０】
以上のとおり、本ガラス枠２００においては、本ストッパー部材２２６を装着した結果、上記嵌装された２枚のガラス板２５０をガラス支持枠２５４ａ，２５６ａ，２６０ａの内面に密着・保持することが可能となり、ガラス板２５０の装着位置のずれ（がたつき）を防止することができる。従って、本パチンコ機１００においては当該ずれに基づくガラス板２５０の振動、騒音発生ならびに破損を防ぐことができる。併せて、本パチンコ機１００によれば、ガラス枠２００自体が揺動し得る状態においてもストッパー部材２２６の不用意な揺れ（がたつき）が生じないため、当該ストッパー部材２２６とガラス枠２００裏面との間に不心得な遊技者等が針金を差し込むような隙間を生じさせることがない。
【００５１】
ところで、上述のとおり、本ストッパー部材２２６は合成樹脂の成型品であり、その全体が絶縁体で構成されたものである。このため、本ストッパー部材２２６によれば、上述のガラス枠２００へのガラス板２５０嵌装作業時において、ガラス枠２００に配置されたランプ２０８ａや基板と当該ストッパー部材２２６とが接触しても配線をショートさせる心配がない。以下、詳細に説明する。
【００５２】
上述のとおり、本ガラス枠２００の裏面には複数のランプ基板２０６ａ，２０６ｃ，２０６ｅおよびＬＥＤ基板２０６ｂ，２０６ｄが配置されているとともに、上部補強板２５２上にはガラス枠２００裏面側から後述する形状のランプ２０８ａ（図２２参照）を挿入するランプ取付け穴２２０ａが設けられている。すなわち、図６（Ａ）に示すように、本ガラス枠２００の裏面側には、当該ランプ取付け穴２２０ａ内に挿入されて上記ランプ基板２０６ｃに装着されているランプの一部分やＬＥＤ基板２０６ｂ，２０６ｄが露出して配置されている。而して、図２９（Ｂ）に示すように、ガラス板２５０嵌装時における本ストッパー部材２２６の回動操作の際、ランプ取付け穴２２０ａから露出しているランプ２０８ａと当該ストッパー部材２２６の内辺部２２６ｄとが接触する機会は少なくない。しかしながら、上述のとおり、本ストッパー部材２２６は合成樹脂製の絶縁体から構成されているため、たとえ当該ストッパー部材２２６の内辺部２２６ｄとランプ２０８ａとが接触した場合であってもランプ基板配線をショートさせるおそれがない。従って、本パチンコ機１００によれば、ガラス板２５０交換作業時における配線ショートの発生を未然に防ぐことができる。なお、本実施形態においては、ストッパー部材２２６全体を絶縁体たる合成樹脂で一体成形しているが、これに限らず、例えば金属製のストッパー部材において上記内辺部２２６ｄに相当する部分を絶縁部として樹脂製とするか或いは当該部分を絶縁部として合成樹脂でコーティングする手段によってもよい。
【００５３】
（２−５）ガラス枠の防犯構造
次に、本パチンコ機１００のガラス枠２００に設けられた種々の防犯構造について説明する。図１４に示すように、上記ストッパー部材２２６にはガラス板２５０嵌装時（図２９（Ｃ）の状態）にベース枠５００方向に突出し得る形状の防犯リブ２２６ｂが形成されている。一方、図１０および図１４に示すように、上記ガラス支持枠２５４ａ，２５６ａ，２６０ａのいずれにおいても上記ストッパー部材２２６の防犯リブ２２６ｂと同様の形状をなす防犯リブ２２９ａ，２２９ｂ，２２９ｃが形成されている。これらの防犯リブ２２６ｂ，２２９ａ，２２９ｂ，２２９ｃは、ガラス枠２００をベース枠５００に閉じた際に上記支持枠７０１の対応する部位に設けられた凹部に嵌め合わされる。その結果、図１０および図１４からも明らかなように、ガラス枠２００をベース枠５００に閉じた際に、上記嵌装されたガラス板２５０と遊技盤６００との隙間が全周囲にわたって遮断されることとなる。このことによって、不心得な遊技者等が当該隙間から針金等の異物を挿入することを防ぐことができ、それに伴う不正遊技行為やパチンコ機１００の破損を防止することができる。また、図１４に示すように、ガラス枠２００の下部を構成する下枠部材２０５において、後述する操作ユニット３０４を収納する収納部２０４ｃの外形は、外側から掴みにくいなだらかな傾斜を有するように形成されている。これにより、不心得な遊技者等が当該収納部２０４ｃを掴んで手前に引っ張る行為を防止し、当該行為に基づくガラス枠２００の撓み発生を防止している。さらには、ガラス枠２００の表面に露出している上記装飾部材２０２ａ，２０２ｂ，２０２ｃの外形も、上記収納部２０４ｃと同様、外側から掴みにくいなだらかな傾斜および段差を有するように形成されている。このため、不心得な遊技者等が装飾部材２０２ａ，２０２ｂ，２０２ｃを掴んで手前に引っ張る行為に基づくガラス枠２００の撓み発生を防止することができる。
【００５４】
一方、図１４に示すように、ベース枠５００の上縁部近傍には金属製の防犯Ｌ字型リブ５０２がビス着されている。そして、ガラス枠２００をベース枠５００に閉じた際には、この防犯Ｌ字型リブ５０２によってパチンコ機１００の上縁部におけるベース枠５００とガラス枠２００との隙間を遮断することができる。このことによって、不心得な遊技者等が当該隙間から針金等の異物を挿入することを防ぐことができ、それに伴う上記ランプ基板２０６ｃやランプ類の破損を防止することができる。
【００５５】
（２−６）ランプ基板および配線仕様
次に、ガラス枠２００に装着されたランプ基板および配線仕様について説明する。図７に示すように、ランプ基板２０６ａ，２０６ｅにはそれぞれランプ２０８ｃ，２０８ｄがそれぞれ３個ずつ装着されており、ランプ基板２０６ｃには２個のランプ２０８ａと４個のランプ２０８ｂとが装着されている。ＬＥＤ基板２０６ｂにはＬＥＤ２１１ａとＬＥＤ２１１ｂとが１個ずつ設けられており、ＬＥＤ基板２０６ｄには３個のＬＥＤ２１１ｃが設けられている。また図８に示すように、ランプ基板２０６ａにはコネクタ２１３ｂ，２１３ｃが、ランプ基板２０６ｃにはコネクタ２１３ｆ，２１３ｇが、ランプ基板２０６ｅにはコネクタ２１３ｊがそれぞれ設けられている。同様に、ＬＥＤ基板２０６ｂにはコネクタ２１３ｄ，２１３ｅが、ＬＥＤ基板２０６ｄにはコネクタ２１３ｈ，２１３ｉがそれぞれ設けられている。これらのランプ基板２０６ａ，２０６ｃ，２０６ｅとＬＥＤ基板２０６ｂ，２０６ｄには、上述の通り点灯ないしは点滅する発光体の種類は異なるが、基板自体はほぼ同様の構造をなしている。以下では説明を簡単にするため、ランプ基板２０６ｃやランプ２０８ａの構造等について、図２０〜図２２を参照しながら説明する。その後、各基板の電気配線について、図２３〜図２７を参照しながら説明する。
【００５６】
図２０において、ランプ基板２０６ｃはガラス枠２００を構成する上枠部材２０１に取り付けられている。上述のとおり、この上枠部材２０１には、ランプ２０８ａを装着または交換するためのランプ取付け穴２０９がランプ基板２０６ｃ上の設置部位に対応して設けられている。一方、上部補強板２５２にも対応する部位にランプ取付け穴２２０ａが設けられている。この構造によって、鍵を解錠してガラス枠２００を前方（図２０では右側方向）に開けるだけで、ランプ２０８ａの装着等が行えるようになる。そのため、ランプ２０８ａの装着等を容易かつ素早く行うことができる。
【００５７】
図２１において、ランプ基板２０６ｃには、２個のランプ２０８ａと４個のランプ２０８ｂとが設けられている。このランプ基板２０６ｃには、配線ケーブル２１０ｃがコネクタ２１３ｆと、配線ケーブル２１０ｄがコネクタ２１３ｇと、それぞれ電気的に接続されている。さらに、ランプ基板２０６ｃには、制御線２３０，２３２、伝送線２３４、共通線２３６がそれぞれ配線パターンで配線されている。制御線２３０，２３２は、順にランプ２０８ａ，２０８ｂを点灯ないし点滅させる。伝送線２３４は、他の基板（具体的にはＬＥＤ基板２０６ｄ，ランプ基板２０６ｅ）等に電力や制御信号を伝送し、それらの基板に設けられているＬＥＤやランプを点灯等させる。共通線２３６は常時ハイレベルに維持されおり、制御線２３０，２３２の信号レベルを切替制御することによって各ランプを点灯等させる。こうして、線数が８本の配線ケーブル２１０ｃから出る制御線２３０は、２つのランプ２０８ａを点灯等させる。また制御線２３２は、４つのランプ２０８ｂを点灯等させる。この配線例では、複数のランプ群（すなわち、２つのランプ２０８ａ群と、４つのランプ２０８ｂ群）に分けて、点灯等を制御することができる。さらに、配線ケーブル２１０ｃから出る残りの伝送線２３４は、上記他の基板に信号を伝送するために、線数が５本の配線ケーブル２１０ｄにそのまま電気的に接続されている。
【００５８】
次に、ランプ基板２０６ｃに装着されるランプ２０８ａの構造について、図２２を参照しながら説明する。ここで、図２２（Ａ）には斜視図を、図２２（Ｂ）には図２２（Ａ）のＥ−Ｅ断面を、図２２（Ｃ）には図２２（Ａ）のＦ−Ｆ断面をそれぞれ示す。図２２（Ａ）において、ランプ基板２０６ｃには２本のピン２０６０，２０６８が立てて設けられている。一方のピン２０６０は配線パターン２０６２と、他方のピン２０６８は配線パターン２０６６とそれぞれ電気的に接続されている。これらの２本のピン２０６０，２０６８の間には、ランプ基板２０６ｃを貫通する穴２０６４が設けられている。この穴２０６４は、ランプ２０８ａのランプ本体２０８６を通すための穴である。なお、この図において、ランプ２０８ａのある側がパチンコ機１００の裏面側になり、このランプ基板２０６ｃの裏面側がパチンコ機１００の表面側になる。図２２（Ｂ）において、ランプ２０８ａは、ランプ基部２０８０とランプ本体２０８６とによって構成されている。ランプ基部２０８０には、２つの貫通穴２０８２と、２つの貫通穴２０８４とが設けられている。貫通穴２０８２は上記ピン２０６０，２０６８に嵌め込むための穴である。貫通穴２０８４はランプ本体２０８６から伸びるリード線２０８８を通すための穴である。このリード線２０８８は貫通穴２０８２にも通され、これによってピン２０６０，２０６８との間を電気的に接続し、ランプ本体２０８６を点灯ないし点滅させることができる。そして、この構造をなすランプ２０８ａをランプ基板２０６ｃに装着した状態を図２２（Ｃ）に示す。なお、他の発光体であるＬＥＤ２１１ａ，２１１ｂ，２１１ｃは、ＬＥＤ基板２０６ｂ，２０６ｄ上にそれぞれハンダで固定され、電気的に接続されている。
【００５９】
次に、５枚の基板（すなわちランプ基板２０６ａ，２０６ｃ，２０６ｅおよびＬＥＤ基板２０６ｂ，２０６ｄ）の電気配線について、図２３〜図２７を参照しながら説明する。ここで、図２３にはランプ基板２０６ａ、図２４にはＬＥＤ基板２０６ｂ、図２５にはランプ基板２０６ｃ、図２６にはＬＥＤ基板２０６ｄ、図２７にはランプ基板２０６ｅについての配線図をそれぞれ示す。まず、図２３に示すランプ基板２０６ａでは、コネクタ２１３ｂの２，３番端子とコネクタ２１３ｃの３，１０番端子との間には共通線が電気的に接続される。この共通線は、６つのランプ２０８ｃ，２０８ｄに電源を供給するために、常にハイレベルに維持されている。なお、２つの端子（すなわち配線ケーブルにおける２本の信号線）に接続しているのは、他の基板に送るための電力量を確保するためである。すなわち、１つの端子（すなわち配線ケーブルにおける１本の信号線）では、他の基板に必要な電力量を伝送できないためである。また、コネクタ２１３ｂの１０番端子とコネクタ２１３ｃの２番端子との間には、ランプ２０８ｃを点灯ないし点滅させる制御線が電気的に接続されている。同様に、コネクタ２１３ｂおよびコネクタ２１３ｃの１番端子の間には、ランプ２０８ｄを点灯ないし点滅させる制御線が電気的に接続されている。これらの制御線はランプを消灯する時にはハイレベルに、点灯するときにはローレベルに切替制御される。なお、共通線を常時アース接続し、各制御線についてはランプを消灯する時にはローレベルに、点灯するときにはハイレベルに切替制御する態様としてもよい。さらに、上記共通線および制御線を除く伝送線は、コネクタ２１３ｂからそのままコネクタ２１３ｃに電気的に接続される。
【００６０】
図２４に示すＬＥＤ基板２０６ｂでは、コネクタ２１３ｄの４番端子とコネクタ２１３ｅの７番端子との間に電気的に接続される線が上記共通線に相当する。この共通線とコネクタ２１３ｄの６番端子との間には、抵抗器ＲａとＬＥＤ２１１ａとが直列して電気的に接続されており、上記制御線に相当する。同様に、上記共通線とコネクタ２１３ｄの４番端子との間には、抵抗器ＲｂとＬＥＤ２１１ｂとが直列して電気的に接続されており、上記制御線に相当する。そして、残りの線は、伝送線として使用されている。なお、抵抗器Ｒａ，Ｒｂを直列に接続したのは、過電流によってＬＥＤが破損するのを防止するためである。この場合、ＬＥＤ２１１ａ，２１１ｂの点灯等を制御する制御線は、他の基板に伝送する必要がない。そのため、コネクタ２１３ｅに接続される配線ケーブル２１０ｃの線数は、コネクタ２１３ｄに接続される配線ケーブル２１０ｂの線数よりも２本少ない。
【００６１】
図２５に示すランプ基板２０６ｃでは、コネクタ２１３ｆの５，８番端子とコネクタ２１３ｇの１番端子との間に電気的に接続される線が共通線２３６に相当する。この共通線２３６とコネクタ２１３ｆの７番端子との間には、２個のランプ２０８ａが並列して電気的に接続されており、制御線２３０に相当する。同様に、共通線とコネクタ２１３ｆの６番端子との間には、４個のランプ２０８ｂが並列して電気的に接続されており、制御線２３２に相当する。そして、残りの線は、伝送線２３４として使用されている。この場合、ランプ２０８ａ，２０８ｂの点灯等を制御する制御線２３０，２３２は、他の基板に伝送する必要がない。また、この先に接続される基板に伝送する電力量は少ないため、１本の信号線で十分になる。そのため、コネクタ２１３ｇに接続される配線ケーブル２１０ｄの線数は、コネクタ２１３ｆに接続される配線ケーブル２１０ｃの線数よりも３本少ない。
【００６２】
図２６に示すＬＥＤ基板２０６ｄでは、コネクタ２１３ｈの１番端子と２番端子との間に電気的に接続される線が制御線に相当する。この制御線には、抵抗器Ｒｃと３個のＬＥＤ２１１ｃとが直列して電気的に接続されている。このＬＥＤ基板２０６ｄでは共通線に相当する線がなく、残りの線は伝送線として使用されている。この場合、ＬＥＤ２１１ｃの点灯等を制御する制御線は、他の基板に伝送する必要がない。そのため、コネクタ２１３ｉに接続される配線ケーブル２１０ｅの線数は、コネクタ２１３ｈに接続される配線ケーブル２１０ｄの線数よりも２本少ない。なお、抵抗器Ｒｃを直列に接続したのは、上記抵抗器Ｒａ，Ｒｂと同様に過電流によってＬＥＤが破損するのを防止するためである。図２７に示すランプ基板２０６ｅでは、コネクタ２１３ｊの３番端子から出る線が共通線に相当し、コネクタ２１３ｊの１，２番端子から出る線が制御線に相当する。コネクタ２１３ｊの２番端子から出る線は３個のランプ２０８ｃの点灯等を制御し、コネクタ２１３ｊの１番端子から出る線は３個のランプ２０８ｄの点灯等を制御する。なお、このランプ基板２０６ｅでは先に接続する基板がないため、伝送線が存在しない。
【００６３】
そして、５枚の基板（ランプ基板２０６ａ，２０６ｃ，２０６ｅおよびＬＥＤ基板２０６ｂ，２０６ｄ）の相互間は、上述のガラス枠２００の各構成ユニットを組み付ける際に４本の配線ケーブル２１０ｂ，２１０ｃ，２１０ｄ，２１０ｅによってそれぞれ電気的に接続される。そのため、パチンコ機１００本体側に装備される後述のメイン制御装置７４０および枠制御装置７５８から出力される信号は、各基板や配線ケーブル等を通じてランプやＬＥＤに伝達され、ランプやＬＥＤが点灯ないしは点滅する。そして、各ランプを点灯ないし点滅制御するメイン制御装置７４０からの信号線が一旦ＬＥＤを点灯ないし点滅する枠制御装置７５８に接続され、この枠制御装置７５８からコネクタ２１３ａを介して各ランプ並びに各ＬＥＤに接続されている。ガラス枠２００に設けられたランプやＬＥＤの信号線をそれぞれの制御装置に個別に接続する必要が無くなるので、配線接続作業が容易になる。
【００６４】
ここで、上述したように配線ケーブル２１０ｂ，２１０ｃ，２１０ｄ，２１０ｅについて、それぞれの線数は順に１０本，８本，５本，３本である。すなわち、枠制御装置７５８側から各基板を経るごとに配線ケーブルの線数が少なくなっている。また、各配線ケーブルの長さは、上述のガラス枠２００の各構成ユニットを組み付けた際に基板相互間の長さがあれば十分であり、各基板から枠制御装置７５８までの長さを必要としない。従って、本パチンコ機１００においては、配線ケーブルの線数や長さを最小限に抑えることができ、その配線（すなわち引き回し）作業を簡素化することができる。
【００６５】
次に、本ガラス枠２００からの配線引出しについて説明する。図７および図８に示すように、ガラス枠２００軸支側の基板取付け板２０７に装着されたランプ基板２０６ａにはコネクタ２１３ｂを介して配線ケーブル２１０ａが接続されている。この配線ケーブル２１０ａは、ガラス枠２００下部を構成する上記下枠部材２０５と当該下枠部材２０５に装着された軸支側補強板２５４および下部補強板２５６との間隙を利用して本ガラス枠２００の下方に導かれている。而して、図６（Ａ）および図９に示すように、配線ケーブル２１０ａは端部に設けられたコネクタ２１３ａと共に下枠部材２０５下端に設けられた配線引出し口２１８からガラス枠２００の裏面外部に引き出されている。そして、引き出された配線ケーブル２１０ａは、ベース枠５００に設けられた図示しない配線引き込み口からベース枠５００内部に導入され、コネクタ２１３ａを介して枠制御装置７５８に接続される。
【００６６】
本実施形態に係る配線引出し口２１８は、図９より明らかなように、下枠部材２０５の折れ曲がった下縁部分と下部補強板２５６下端の折り曲げ部分（即ち上記ガラス支持枠２５６ａ）との間に設けられたものである。このため、本実施形態に係る配線引出し口２１８の周辺部には、従来のランプ基板付きガラス枠に見られる補強板を穿設して形成された引出し口周辺部におけるような鋭利な部分が存在しない。このため、本配線引出し口２１８によれば、ガラス枠２００の開閉操作時に配線ケーブル２１０ａと当該配線引出し口２１８周辺部とが過度に擦れることがない。従って、本パチンコ機１００によれば、配線引出し口２１８周辺部と配線ケーブル２１０ａとの接触および摩擦による当該配線ケーブル２１０ａの断線を防止することができる。また、本パチンコ機１００においては、上記配線処理が施されている結果、配線ケーブル２１０ａのコネクタ２１３ａと枠制御装置７５８との間の接続を解除するだけでガラス枠２００の交換が可能になる。従って、ガラス枠２００の交換作業を簡便に実施し得る。
【００６７】
なお、本パチンコ機１００におけるメイン制御装置７４０はＣＰＵ（プロセッサ）を中心に構成されており、図３０に示すようにパチンコ機１００における遊技盤６００の裏側に設けられる。このメイン制御装置７４０は、図柄表示器の表示制御や、可変入賞口の拡開制御等、各機種に応じて異なるプログラムによって制御され、遊技盤の種類に応じて交換される。一方、枠制御装置７５８は賞球の払出制御や、不正の検出等、各種遊技盤に共通に使用されるものである。メイン制御装置７４０からの出力信号の一部は枠制御装置７５８に入力され、賞球払出数の設定等に使用されるとともに、大当たり遊技の発生時や、図柄表示器におけるリーチ状態の発生時等には、ランプ基板２０６ａ，２０６ｃ，２０６ｅに設けられた各ランプを点灯ないし点滅制御するために、コネクタ２１３ａを介して各ランプに信号を伝達する。なお、メイン制御装置７４０はホールコンピュータ等との間を通信線（有線／無線のいずれをも含む）で接続し、全賞球払出数等の各種データを相互／一方に伝送する制御を行なってもよい。また、枠制御装置７５８において、賞球払出時や、球タンク７０６の球不足を検出したとき、さらにガラス枠２００が開放されたとき等には、ＬＥＤ基板２０６ｂ，２０６ｄに設けられているＬＥＤ２１１ａ，２１１ｂ，２１１ｃの点灯ないし点滅を制御するために、コネクタ２１３ａを介して枠制御装置７５８から各ＬＥＤに信号を伝達する。
【００６８】
（２−７）操作ユニット
次に、ガラス枠２００に設けられた操作ユニット３０４の構成について、図２８を参照しながら説明する。図２８（Ａ）において、操作ユニット３０４は、プリペイドカードの残存度数を表示したり、遊技者が球貸しを指令する機能を備えている。この残存度数の表示や球貸し指令等は、カード処理機にプリペイドカードが挿入されている状態で可能になる。一般に、各カード処理機は各パチンコ機に隣接して配置されており、通常はパチンコ機相互間に配置される。ここで、操作ユニット３０４は、指令スイッチ３００，３０６と表示盤３０２とによって構成されている。指令スイッチ３００は球貸しを指令するスイッチであり、これを押すとプリペイドカードの残存度数内において所定度数分のパチンコ球が貸し出される。この貸し出しによって、上記カード処理機はプリペイドカードの残存度数から所定度数を減らして、そのプリペイドカードに記録する。指令スイッチ３０６は、カード処理機内に入っているプリペイドカードの返却を指令するスイッチである。表示盤３０２は、３基の表示器３０８と、１基のカード表示ランプ３１０とによって構成されている。表示器３０８には、プリペイドカードの残存度数が表示される。カード表示ランプ３１０は、カード処理機にプリペイドカードが挿入され、球貸しが可能な状態であるときに点灯する。表示器３０８には、７セグメントＬＥＤが用いられており、プリペイドカードの残存度数を表示する。
【００６９】
従来のパチンコ機では、操作ユニット３０４が上皿１０８や前板１０６等に設けられていた。そのため、遊技者がパチンコ球を下皿１１０等から上皿１０８に移したりする時などに指令スイッチ３００等を誤って触れてしまうことがあった。しかし、本パチンコ機１００では、操作ユニット３０４をガラス枠２００に設ける構成とした。この構成では、ガラス枠２００は上皿や前板等から離れているため、遊技者がパチンコ球を下皿１１０等から上皿１０８に移したりする時などでも指令スイッチ３００等を誤って触れることが防止される。したがって、操作ユニット３０４の誤操作を防止することができる。なお、操作ユニット３０４は上記の構成に限らず、様々な情報を遊技者に提供したり、パチンコ機１００に対して行う様々の指令スイッチを設ける構成にしてもよい。例えば図２８（Ｂ）に示すように、表示盤３０２に代えて表示器３１２を設けてもよい。表示器３１２には、ＬＥＤ表示装置（すなわち、複数個のＬＥＤ３１２ａを格子状に隣接して配置した表示装置である。）や液晶表示装置等が用いられる。表示器３１２はメイン制御装置７４０と電気的に接続される。
【００７０】
この構成によれば、表示器３１２にはプリペイドカードの残存度数の表示だけでなく、遊技用の図柄や、遊技者へのメッセージ、あるいはパチンコ機１００の作動状態等のように、様々の情報をも表示することができる。遊技用の図柄には、遊技盤面１５２に設けられている図柄表示装置で表示される図柄がある。遊技者へのメッセージには、例えばパチンコ遊技場の案内や天気情報、あるいは交通情報等がある。パチンコ機１００の作動状態には、故障やエラー等がある。こうして、遊技者に様々の情報を伝達することができる。また、表示器３１２は遊技盤面１５２の下部に位置するので、遊技者は目の移動を少なくして表示器３１２に表示される情報を容易に認識することができる。この場合、操作ユニット３０４には、上記メッセージ等に対応して１又は複数個の表示モードスイッチ３１４を設けてもよい。この表示モードスイッチ３１４を遊技者が押すと、希望するメッセージが表示器３１２に表示される。そのため、遊技者は遊技中などで所望の情報をすぐに得ることができる。なお、表示モードスイッチ３１４はメッセージ等の表示のみならず、パチンコ機１００の製造工程等において、各種の検査作業を行うときに作動スイッチとして使用することもできる。
【００７１】
（２−８）飾り窓
上記のとおり、ガラス枠２００の下部には左右一対の飾り窓２０４ａ，２０４ｂが設けてある（図１、図２参照）。一方、ガラス枠２００がベース枠５００に閉じられた際の当該飾り窓２０４ａ，２０４ｂの配置場所に対応する遊技盤６００（図２）上には、関係機関によって発行された種々の証紙類（図示せず）が貼られている。これら証紙類は、パチンコ機１００が通常の状態におかれているときに常時視認され得る必要がある。本パチンコ機１００では、これら証紙類は上記飾り窓２０４ａ，２０４ｂを通して、パチンコ機１００の正面側から容易に視認することができる。
【００７２】
ところで、上述のとおり、本パチンコ機１００においては、ガラス枠２００裏面に設けられたガラス支持枠２５４ａ，２５６ａ，２６０ａに２枚のガラス板２５０が嵌装されている（図６（Ａ）参照）。図２および図６（Ａ）にも示すように、当該ガラス支持枠２５４ａ，２５６ａ，２６０ａは、上記飾り窓２０４ａ，２０４ｂを含むガラス枠２００裏面のほぼ全域に及んでいる。したがって、ここに嵌装される上記２枚のガラス板２５０は、遊技盤面１５２を透視するためにガラス枠２００中央部に設けられた上記開口部２００ａと共に、当該飾り窓２０４ａ，２０４ｂを同時に塞ぐことができる。したがって、本パチンコ機１００によれば、上記ガラス枠に設けた飾り窓２０４ａ，２０４ｂから証紙類を視認し得ると同時に、従来のパチンコ機におけるような、飾り窓２０４ａ，２０４ｂのために別途透明レンズ類を設けることなく、上記２枚のガラス板２５０によって当該飾り窓２０４ａ，２０４ｂを塞ぐことができる。
【００７３】
（２−９）鍵穴配置
図１および図２に示すように、本パチンコ機１００におけるガラス枠２００の開放側下方は一部切り欠かれている。このガラス枠２００の切り欠き部に対応するベース枠５００の部分には、当該ベース枠５００内に設けられた後述の施錠装置５０４（図３０参照）に連通する鍵穴１１４が設けられている。
【００７４】
そして、この鍵穴１１４に鍵（図示せず）を挿入することによって、後述するように、施錠装置５０４に備えられたカム板５０６が回動し、ガラス枠２００の解錠が行われる。すなわち、例えば遊技者がパチンコ遊技中に遊技盤面１５２上において球詰まり等を起こした際には、ホール関係者等は所定の鍵を鍵穴１１４に挿入してガラス枠２００を開放すると共に上記球詰まり等を速やかに処置することができる。このとき、上記のとおり、本パチンコ機１００においては、ガラス枠２００の開放側の側面に鍵穴１１４が配置されているため、当該鍵穴１１４とパチンコ機１００下方に配置されている上記ハンドル１３４との間に十分な距離を確保することができる。このため、前板１０６の側面に鍵穴を配置した従来のパチンコ機におけるような、パチンコ機１００の施錠および／または解錠操作の際に遊技者の手が妨害物になることはない。したがって、本パチンコ機１００によれば、上記鍵穴１１４における施錠および／または解錠操作を円滑および迅速に行うことができる。
【００７５】
なお、本実施形態においては、上記鍵穴１１４の配置場所をガラス枠２００開放側の下端部に設けてあるが、上記ハンドル１３４と鍵穴１１４との距離が十分に確保される場所であればよく、これに限定されるものではない。例えば、ガラス枠２００の開放側の側面中央部に切り欠き部を設け、ベース枠５００上の当該切り欠き部に対応する箇所に鍵穴を配置することも好ましい。
【００７６】
３．前板
次に、前板１０６の構成について、図１５〜図１７を参照しつつ説明する。なお、図１６には、本パチンコ機１００の前板１０６および下皿１１０の構成を表す部分正面図を示す。図１５には前板１０６の概略斜視図を示す。また、図１７は図１６におけるＤ−Ｄ線矢視断面図である。図１５に示すように、前板１０６の上端部には逆Ｌ字型に成形された防犯フランジ部１２０が設けられている。この防犯フランジ部１２０は、当該前板１０６と上記ガラス枠２００とをベース枠５００に閉じた際に上記ガラス枠２００を構成する下枠部材２０５の下縁部分と咬合されるものである。これにより、上記ガラス枠２００と前板１０６との隙間が遮断され、不心得な遊技者の当該隙間からの異物挿入、不正遊技行為やパチンコ機１００の破損を防止することができる。
【００７７】
また、図１５に示すように、前板１０６裏面の開放側端部には受け爪１２４ａを備える係合金具１２４が設置されている。他方、ベース枠５００側には当該受け爪１２４ａに対応するロック爪（図示せず）が設置されており、上記受け爪１２４ａと当該ロック爪とが解離可能に係合することによって、前板１０６をベース枠５００に閉じることができる。なお、上述のガラス枠２００をベース枠５００から開放した際に前板１０６開放端側の裏面に設置されている開放レバー１２３を押し下げることにより、上記受け爪１２４ａが上動して上記ロック爪との係合が解離される。その結果、前板１０６はベース枠５００から開放される。また、図２に示すように、前板の中央部には後述のスピーカー４００の取付けを行うためのスピーカー取付け口１２６が設けられている。
【００７８】
（３−１）上皿形状
図１５に示すように、前板１０６の表面から見て左上部には、当該前板１０６をベース枠５００に閉じた際に後述の賞球通路７２４に連通する上皿口１１６が形成されている。この上皿口１１６の下方には上皿１０８が装着されており、上皿口１１６から排出されるパチンコ球を受ける。なお、上皿口１１６の左側には、パチンコ遊技に応じた種々の操作スイッチを装備するための予備孔４９８が設けられている。
【００７９】
この上皿１０８は合成樹脂の成形品であり、図１５および図１７から明らかなように、上皿口１１６から排出されたパチンコ球を一時的に貯留するための上皿基材１１８と、その下部にあって当該上皿基材１１８を埋設するように形成されているカバー部材１１９とから構成されている。図１６に示すように、このカバー部材１１９は、下皿１１０方向に張り出した半ドーム形状を有すると共に、その下縁部分は遊技盤６００中央部を中心とする同心円を構成するように湾曲成形されている。このため、上述のガラス枠２００同様に、本パチンコ機１００全体のデザインの統一性を図りつつ本パチンコ機１００にボリューム感を与えており、また、カバー部材１１９の内側に十分な有効スペースを確保している。なお、本パチンコ機１００においてはカバー部材１１９の内側には、後述するようにスピーカー４００が内蔵されている（図１７参照）。
【００８０】
図１５に示すように、上皿基材１１８には、パチンコ機１００の正面から見て右下がり状にわずかに傾斜を持たせてあるため、ここに貯留されたパチンコ球は上皿基材１１８の下流側（すなわち、前板１０６の右方向）に順次誘導される。次いで、誘導されたパチンコ球は前板１０６に設けられた送球口（図示せず）より前板１０６裏面に設けられている一般的な球送り機構によって後述の発射装置５１０へ１個ずつ送球される。
【００８１】
また、図１５に示すように、上皿１０８の右上端部には、球抜き操作レバー１２２が左右方向（図１５中の矢印参照）にスライド可能に設けられている。この球抜き操作レバー１２２は、上皿基材１１８の右端部に設けられた球抜き弁（図示せず）と一体を成すものであり、上皿１０８内部に設置されたスプリング（図示せず）に連結されている。この球抜き弁は、上記スプリングの付勢力によって、通常は閉状態を維持している。そして、球抜き操作レバー１２２をスプリングの付勢力に抗してスライドさせる（図１５中の矢印方向）ことによって、上記球抜き弁を一時的に開放することができる。なお、球抜き弁から排出されたパチンコ球は、前板１０６裏面の球抜き通路（図示せず）を通って後述の下皿１１０へと誘導される。
【００８２】
ところで、図１７に示すように、本カバー部材１１９の壁面であって下皿１１０の上方域に相当する部分には、その正面部上方から下端部にかけて傾斜部１１９ｂが形成されている。この傾斜部１１９ｂは、後述の下皿１１０の球受け部４５０からパチンコ球を取り出すためのスペース（図１７中のＳ）を拡大するために設けられたものであり、その傾斜方向は下皿１１０に備えられた下皿口１４０に向くように形成されている。すなわち、本パチンコ機１００の上皿形状によると、従来のパチンコ機における装飾用カバー部材付き上皿（図１７中の２点鎖線参照）と異なり、上皿１０８の下端部と下皿１１０の上端部との間に、十分なスペースＳを確保することができる。従って、本パチンコ機１００によれば、遊技者は上皿１０８下部の出っ張り部分に妨害されることなく、上記傾斜部１１９ｂに沿って下皿１１０の球受け部４５０からパチンコ球を容易に取り出すことができる。
【００８３】
（３−２）スピーカー配置
次に、本パチンコ機１００の上皿１０８の内側に装備されているスピーカー４００について説明する。上皿１０８の上記カバー部材１１９の前面壁であって下皿１１０の上方域に相当する部分（すなわち、上記傾斜部１１９ｂに相当する部分）には、凹部１１９ａが形成されている。この凹部１１９ａの底面は、平板状に形成されていると共に、その中心部分には楕円状の開口部が設けられている（図１６参照）。さらに、図１７および図１６に示すように、当該凹部１１９ａには音声透過板４０４が埋設されている。この音声透過板４０４は、合成樹脂から成形されており、その表面には網目状の模様が形成されている。さらにまた、その表面の中央域（すなわち、凹部１１９ａの上記開口部に対応する領域）には、音声をパチンコ機１００の外部に透過するための音声透過孔が多数穿設されている。
【００８４】
一方、前板１０６の中央部に設けられた上記スピーカー取付け口１２６には、スピーカー収納部４０２を備えたスピーカー取付け板４０６が着脱可能に装着されている。このとき当該スピーカー収納部４０２は、上記音声透過板４０４と平行となるように上記カバー部材１１９の内側に配置される（図１７参照）。そして、このスピーカー収納部４０２には、図１７に示すように、上記上皿基材１１８とカバー部材１１９（すなわち、上記凹部１１９ａ裏面）との間の内部スペースを利用してスピーカー４００（例えばコーン型）が取り付けられている。すなわち、スピーカー４００を上記スピーカー収納部４０２に予め取り付けたスピーカー取付け板４０６を当該前板１０６の裏側からスピーカー取付け口１２６に装着（典型的にはビス着）している。このとき、図示しないが、当該スピーカー４００にはコネクタが設けてあり、また、本パチンコ機１００内の制御部と当該スピーカー４００とを接続する接続ケーブルにもコネクタを設けてある。このため、上記二つのコネクタの接続操作によって、スピーカー４００とパチンコ機１００本体との電気的接続および切り離しを容易に行うことができる。また、上述のとおり、本パチンコ機１００においては前板１０６の裏側にスピーカー取付け口１２６を設けてあるので、上皿１０８をいちいち取り外すことなく、前板１０６をベース枠５００から開放して上記スピーカー取付け板４０６を取り外すだけで上記スピーカー４００の交換作業を簡単に行うことができる。
【００８５】
以上のとおりに組み付けられたスピーカー４００から発生する音声は、上皿１０８正面の中央壁部に埋設されている上記音声透過板４０４の音声透過孔から外部に出力される（図１７参照）。すなわち、本パチンコ機１００においては、パチンコ機１００の中央部にスピーカー４００が配置されている結果、パチンコ遊技中における種々の効果音等をパチンコ機１００の中央から出力することができる。したがって、本パチンコ機１００を使用する遊技者は、自身の正面からパチンコ遊技に付随する効果音等を聞くことができる。このため、遊技者は、パチンコ遊技の臨場感をダイナミックに楽しむことができると共に本パチンコ機１００からの効果音と隣接する他のパチンコ機からの効果音とを聞き違えるおそれもない。
【００８６】
さらにまた、本パチンコ機１００においては、上述のとおり、上皿基材１１８とカバー部材１１９との間の比較的広いスペースを利用してスピーカー４００が取り付けられており、スピーカー４００周囲にある程度の内部容積をとることができる。このため、本パチンコ機１００によれば、内部容積がほとんど確保できない位置にスピーカーが取り付けられている従来のパチンコ機よりも質の高い音響を提供することができる。
【００８７】
４．下皿
次に、前板１０６の下方に備えられている下皿１１０について、図１６〜図１８等を参照しつつ説明する。ここで、図１８は、取付けプレート４５４およびシャッター部材４５６を示す平面図である。ベース枠５００の中央下部には後述の賞球通路７２４に連通する下皿口１４０が形成されている（図１および図１６参照）。この下皿口１４０の下方には下皿１１０が装着されている。この下皿１１０は合成樹脂が成形されたものであり、下皿口１４０から排出されるパチンコ球を貯留する球受け部４５０を構成している（図１７参照）。また、下皿１１０の下縁部分は、上述の上皿１０８と同様に、遊技盤６００中央部を中心とする同心円を構成するように湾曲させてある。このため、本パチンコ機１００全体のデザインの統一性を図ることができるとともに、本パチンコ機１００にボリューム感を付与している。なお、下皿１１０前面の壁面下部には、後述の操作レバー４５６ａ等を収容するための凹部１１０ａが形成されている（図１６参照）。
【００８８】
また、図１および図１６に示すように、下皿１１０の左側には当該下皿１１０とデザインを統一させて成形された灰皿１１２が付設されている。図示しないが、この灰皿１１２は下皿１１０の所定の部位に反転可能に軸着されており、灰皿１１２を下皿１１０から取り外すことなく灰皿１１２内に溜まった煙草の吸殻等を簡単に取り除くことができる。
【００８９】
一方、図１７に示すように、下皿１１０の球受け部４５０底面には貯留球排出口４５２が設けられており、下皿１１０に貯留したパチンコ球を当該貯留球排出口４５２から排出することができる。本パチンコ機１００においては、上記貯留球排出口４５２からのパチンコ球排出処理は、下皿１１０に備えられたロック機構付き貯留球排出機構によって行われている。以下、このロック機構付き貯留球排出機構について図面を参照しつつ説明する。
【００９０】
図１７に示すように、下皿１１０の底面には、上記ロック機構付き貯留球排出機構を構成する取付けプレート４５４とシャッター部材４５６とが装着されている。これらの取付けプレート４５４およびシャッター部材４５６を図１８に示す。この取付けプレート４５４は、下皿１１０の底面形状に適合するように長方形状に成形された合成樹脂製である。図１８に示すように、この取付けプレート４５４には、２箇所のビス止め用取付け孔４５８ａ，４５８ｂが設けられている。また、取付けプレート４５４の中央部分には上記貯留球排出口４５２に対応させた開口部４５４ａが形成されている。また、取付けプレート４５４には、スプリング４６２が備えられている。すなわち、このスプリング４６２の一端は取付けプレート４５４上面の側部に設けられた取付けフック４６３に取り付けられている。図１７および図１８に示すように、取付けプレート４５４の長辺側の一方（パチンコ機１００正面側）の縁部において、ガイド壁４５４ｂが上方（すなわち、下皿１１０方向）へ迫り上がるように形成されている。さらに、このガイド壁４５４ｂの頂端部分は、パチンコ機１００と反対方向に折り曲げられた誘導部４５４ｃを形成している。なお、図１８に示すように、この誘導部４５４ｃの一部には、上面から見てほぼ直角三角形状となるような切り欠き部４５５が設けられている。
【００９１】
一方、図１８に示すように、上記シャッター部材４５６はプレート部４５６ｂと操作レバー４５６ａとから構成されており、当該プレート部４５６ｂの一端にはフック４５６ｃが備えられている。このプレート部４５６ｂは上記開口部４５４ａを遮蔽するためのものであり、操作レバー４５６ａは当該シャッター部材４５６を外部から操作するためのものである。そして、図１７に示すように、本シャッター部材４５６は上記ガイド壁４５４ｂの誘導部４５４ｃを跨ぐようにして上記取付けプレート４５４に装着されている。すなわち、本シャッター部材４５６の操作レバー４５６ａは上記ガイド壁４５４ｂの外側に配置されており、プレート部４５６ｂは上記開口部４５４ａを遮蔽するように配置されている。なお、本シャッター部材４５６のフック４５６ｃには上記スプリング４６２の一端が係着されている（図１８参照）。
【００９２】
しかして、上記シャッター部材４５６を備えた取付けプレート４５４は、上記開口部４５４ａが上記貯留球排出口４５２に合わさるように、上記ビス止め用取付け孔４５８ａ，４５８ｂを介して下皿１１０の底面側に設けられた取付けボス４６０にビス止めされている（図１７参照）。このとき、下皿１１０正面の壁面下部には上述の凹部１１０ａが設けてあるため、操作レバー４５６ａおよびガイド壁４５４ｂが下皿１１０壁部に接触する不都合は生じない。
【００９３】
以下、本パチンコ機１００におけるロック機構付き貯留球排出機構の作動態様について説明する。上記シャッター部材４５６は、上述のとおりに取付けプレート４５４に装着された結果、ガイド壁４５４ｂ頂部の誘導部４５４ｃを軌道軸として跨ぎ、取付けプレート４５４横方向にスライド移動することができる。すなわち、遊技者が操作レバー４５６ａを上記スプリング４６２の付勢力（すなわち元の状態に戻ろうとする力）に抗して左方向（図１８中の矢印方向）に動かすことによって、シャッター部材４５６が上記誘導部４５４ｃに沿ってスライド移動する。したがって、当該操作レバー４５６ａと一体をなしている上記プレート部４５６ｂも同様に左方向にスライド移動する。この結果、上記貯留球排出口４５２が開放され、当該排出口から下皿１１０に貯留したパチンコ球を排出することができる。そして、遊技者が操作レバー４５６ａから手を放した際には、上記スプリング４６２の付勢力によってシャッター部材４５６は所定の位置（図１８参照）まで自動的に戻り、上記貯留球排出口４５２は再び上記プレート部４５６ｂによって閉じられる。
【００９４】
次に、本貯留球排出機構に付随するロック機構について説明する。上記のとおり、誘導部４５４ｃには、上記貯留球排出口４５２が開放される時点に上記操作レバー４５６ａが配置され得る箇所に対応する箇所において、上面から見て直角三角形状となる切り欠き部４５５が設けられている（図１８および図１９参照）。このため、図１９に示すように、上記誘導部４５４ｃに沿って左方向へ移動してきた操作レバー４５６ａが当該切り欠き部４５５に至った際に、操作レバー４５６ａを当該切り欠き部４５５に応じて下皿１１０方向へ押し込むことができる。その結果、操作レバー４５６ａの側面部４５６ａ１と当該切り欠き部４５５の側面部４５４ｅとが接触することとなり、結果、シャッター部材４５６の右方向（すなわち、図１８中の矢印の反対方向）へのスライド移動を阻むと同時に上記スプリング４６２の付勢力によって当該シャッター部材４５６をその場に保持する（以下、この状態を「ロック状態」という。）ことができ、その手を離しても戻らない（図１９参照）。このとき、図１８および図１９に示すように、上記接触に係る切り欠き部４５５の側面部４５４ｅに凸部４５４ｄを設けるとともに操作レバー４５６ａの側面部４５６ａ１には凹部４５６ｄを設けておけば、これらを咬合させることによって上記ロック状態の不用意な解除を未然に防ぐことができる。
【００９５】
そして、操作レバー４５６ａを上記切り欠き部４５５の斜辺に沿って僅かに左方向へ再度スライド移動させることによって、当該操作レバー４５６ａは切り欠き部４５５から迫り出し、上記ロック状態を簡単に解除することができると共に当該シャッター部材４５６はスプリング４６２の付勢力によって所定の位置まで戻される。すなわち、本実施形態に係るロック機構においては、図１９に示すように、ロック状態時のスプリング４６２の延びる向き（即ち、フック４５６ｃと取付けフック４６３を結ぶ線の向き）がシャッター部材４５６のスライド方向軸（図１９中のＱ）に対して傾斜している。このため、操作レバー４５６ａを僅かに左方向へスライドさせることによって上記接触状態にあった操作レバー４５６ａの側面部４５６ａ１と切り欠き部４５５の側面部４５４ｅとが離れた際、スプリング４６２の付勢力に係る下皿１１０手前側（図中下方）に向けられる分力Ｐによって、シャッター部材４５６は手前に押し出される。その結果、速やかに上記ロック状態が解除されると同時にシャッター部材４５６が所定の位置まで戻り、下皿１１０の貯留球排出口は閉ざされる。
【００９６】
以上のとおり、上記ロック機構付き貯留球排出機構を備えた本パチンコ機１００を使用する遊技者は、操作レバー４５６ａから手を離した状態で下皿１１０から貯留パチンコ球の排出を継続することができ、かつ、ワンタッチで当該排出作業を止めることができる。また、本パチンコ機１００のロック機構付き貯留球排出機構においては、貯留球の排出作業ならびに上記ロック状態の開始および解除を一つの部品の操作で簡便に行うことができる。すなわち、本パチンコ機１００によれば、遊技者は片手で上記操作レバー４５６ａを横方向にスライド移動させる操作のみで、下皿１１０からの貯留球の排出操作および上記ロック状態を同時に実現することができる。さらにまた、本パチンコ機１００においては、貯留球排出機構とそれを維持するロック機構とが一体に構成されているため、これらに係る部品数を減らすことができるとともに上記機構の簡略化を図ることができる。
【００９７】
５．パチンコ機裏面側の構成
次に、パチンコ機１００の裏面側の構成について、図３０〜図３４を参照しながら説明する。図３０には、パチンコ機１００の裏面から見た全体構成を示す。図３１は図３０の一部拡大図を示す。図３２と図３３とには、パチンコ機１００の正面側から球抜き動作を実現するための構造を示す。図３４には、配電盤の構造を示す。ここで、図３０では、見やすくするためにベース枠５００に機構板７００を装着した状態を示す。この機構板７００は、支持枠７０１に複数個の蝶番によって開閉可能に装着されている。なお、通常はベース枠５００と機構板７００との間に遊技盤６００が装着される。ここで、説明中において上下左右の方向を指す場合には、パチンコ機１００の裏面から見た方向である。
【００９８】
図３０において、まずベース枠５００の構成について説明する。このベース枠５００には、施錠装置５０４，発射装置５１０，ヒンジ５２４等が設けられている。施錠装置５０４は、ガラス枠２００とベース枠５００との間、ベース枠５００と木枠１０２との間についてそれぞれ施錠／解錠を行う。具体的には、施錠装置５０４はベース枠５００に設けられ、鍵とともに回動するカム板５０６や、上下方向にスライド可能なスライド部材５０４ａ，５０４ｂ等によって構成されている。スライド部材５０４ａには、施錠の際にガラス枠２００のフック片２２１ａ，２２１ｂ，２２１ｃ（図２参照）と係合する係合穴２２２ａ，２２２ｂ，２２２ｃを備えている。また、スライド部材５０４ｂには、施錠の際に木枠１０２の係合開口部と係合するフック片５０１ａ，５０１ｂ（図３参照）を備えている。ここで、カム板５０６を一方向に回すとスライド部材５０４ａがスライドしてフック片２２１ａ，２２１ｂ，２２１ｃとの係合を解除し、ガラス枠２００が解錠される。同様に、カム板５０６を他方向に回すとスライド部材５０４ｂがスライドして木枠１０２の係合開口部との係合を解除し、ベース枠５００が木枠１０２から解錠される。
【００９９】
発射装置５１０は、打球杆５０８，モータ５１２，調整つまみ５１６，発射制御回路５１８によって構成されている。打球杆５０８は、パチンコ球を打って発射させる。モータ５１２は発射制御回路５１８によって回転駆動が制御される。このモータ５１２の回転軸にはカム板が固定されており、このカム板のカム面に打球杆５０８の一端側が接している。打球杆５０８の他端側にはバネ５１４が接続されており、このバネ５１４の付勢力は調整つまみ５１６を回すことによって複数段階に調整可能になっている。この構成によれば、モータ５１２の回転運動は上記カム板を通じて打球杆５０８の揺動運動に変換され、かつバネ５１４の付勢力によってパチンコ球が断続的に打ち出される。
【０１００】
次に、機構板７００の構成について説明する。この機構板７００には、球タンク７０６，誘導レール７０８，球送り機構７１８，入賞球検出装置７５６等が設けられている。球タンク７０６は機構板７００の上部に着脱可能に設けられており、搬送されてきたパチンコ球を賞球として一時的に蓄える。その球タンク７０６の下方には誘導レール７０８が設けられており、右下がり状のスロープになっている。この誘導レール７０８は仕切り片によって二つの通路が図面に向かって前後に並んで形成されており、その通路はパチンコ球に付着しているゴミ等を落下させるための穴が適宜設けられている。パチンコ球は回動可能にビス止めされた二つの球ならし片７１０によって、誘導レール７０８内において上下方向に積み重なっているパチンコ球をならす。
【０１０１】
二つの球ならし片７１０は、図面に向かって前後に並んで設けられている。この球ならし片７１０によってならされたパチンコ球は、図面に向かって前後に並ぶ二つの貯留通路７１６に誘導される。図３１に示すように、貯留通路７１６の入口側には検出片７１５が設けられており、誘導レール７０８の延長上かつ貯留通路７１６ごとに対応して設けられている。検出片７１５の下方には検出スイッチ７１４が設けられており、検出片７１５は検出スイッチ７１４のスイッチバーに当たるようになっている。この構造によって、パチンコ球がその自重で検出片７１５を押すか否かで、パチンコ球の有無が検出スイッチ７１４によって検出される。また、誘導レール７０８と球切れ検出スイッチ７１４との間には、ゴミ防止リブ７１３が支持枠７０１に設けられている。ゴミ防止リブ７１３は、誘導レール７０８や検出片７１５に設けられている穴から落下するゴミ等を受け止め、検出スイッチ７１４の接点スイッチ等を保護する。そのため、パチンコ球に付着していたゴミ等が原因となって検出スイッチ７１４が誤作動するのを防止することができる。球切れ検出スイッチ７１４はパチンコ球が無いことを検出し、球切れ信号をホールコンピュータ等に送る。この球切れ信号を受けたホールコンピュータ等は、パチンコ球をパチンコ機１００に供給して球切れを防止する。
【０１０２】
図３０に戻って、機構板７００には、支持枠７０１が着脱可能に設けられている。この支持枠７０１の内側には、上記貯留通路７１６が形成されるとともに、球送り機構７１８等が設けられている。このように、支持枠７０１が貯留通路７１６等を覆っているため、外部からの異物の侵入を防止することができる。ここで、貯留通路７１６は、誘導レール７０８を流れ下ってきたパチンコ球を、図面に向かって前後二列で一時的に貯留する。球送り機構７１８は貯留通路７１６の下方に設けられており、貯留されたパチンコ球を１個ずつカウントして受け皿に送り出す。この球送り機構７１８は枠制御装置７５８によって動作が制御され、回転体７２０とモータとによって構成されている。これらの回転体７２０およびモータは、二つの貯留通路７１６に対応してそれぞれ設けられている。ここで、回転体７２０には貯留通路７１６のパチンコ球を１個ずつカウントして送り出すための歯が設けられており、その中心軸は上記モータの回転軸に通じている。モータは枠制御装置７５８から送られた信号に従って、所定角度だけ回転する。枠制御装置７５８は、支持枠７０１の右下部の手前側に設けられ、パチンコ球が入賞口に入賞したとき（あるいは球貸しを指令する図２８に示す指令スイッチ３００が押されたとき）にパチンコ機１００の枠制御装置７５８から出力される信号を受けて、上記モータの回転制御を行う。このモータの回転に伴って回転体７２０が回転し、パチンコ球を分岐片７２２へ送り出す。この枠制御装置７５８に対して上述した動作を行う信号を出力するメイン制御装置７４０は、機構板７００の中央部（すなわち図示しない遊技盤６００の裏側）に設けられている。
【０１０３】
そして、パチンコ球は分岐片７２２によって賞球通路７２４または球抜通路７２６のいずかの通路に誘導される。通常、パチンコ球は賞球通路７２４に分岐され、受け皿（すなわち図１に示す上皿１０８）に誘導される。この上皿１０８は発射装置５１０に通じており、パチンコ球は再び打球として遊技盤面１５２に打ち出される。一方、上皿１０８がパチンコ球で満杯のときには、賞球集合樋５２０を通じて他の受け皿（すなわち図１に示す下皿１１０）に誘導される。この賞球通路７２４の途中には金属片７５４が一部突出して設けられているので、一部のパチンコ球がこの金属片７５４に当たって払い出し音を出す。また、パチンコ機１００自体の交換時等には球タンク７０６や貯留通路７１６等に貯留されているパチンコ球を排出させる必要がある。このような場合には、作業員が所定の操作を行うと、パチンコ球は分岐片７２２によって球抜通路７２６に誘導される。この球抜通路７２６は球排出口５２２に通じており、パチンコ球をパチンコ機１００から排出することができる。ここで、入賞口に入賞したパチンコ球は、セーフ球通路７３０を通って入賞球検出装置７５６に誘導される。この入賞球検出装置７５６は入賞したパチンコ球を検出する装置であり、検出されたパチンコ球は球排出口５２２を通じて排出される。一方、入賞しなかったパチンコ球は、アウト口からアウト球通路７２８を通ってそのまま球排出口５２２に誘導され、排出される。
【０１０４】
次に、機構板７００の右上部には、配電盤７０２が設けられている。この配電盤７０２には、電源スイッチ７０４，ヒューズ８５０（図３５参照），コンセント収納部７１２等が設けられている。電源スイッチ７０４は、コンセントから供給された電気をパチンコ機１００の各部に配電するか否かを切り換えるスイッチである。ヒューズ８５０は電気を供給する部位ごとに対応して設けられており、過剰な電流が流れて電子部品が損傷するのを防止する。コンセント収納部７１２は、パチンコ機１００を組立工場からパチンコ遊技場に搬送する間において、上記コンセントを差し込んで収納する。これによって、パチンコ機１００から伸びる伝電線の先端に取り付けられているコンセントが仮止めされるので、パチンコ機１００の搬送中には電線やコンセントのブレが防止される。
【０１０５】
上記のような構成によれば、パチンコ機１００に搬送されてきたパチンコ球は、球タンク７０６に一時的に蓄えられた後に排出され、誘導レール７０８を通り、貯留通路７１６に貯留される。その後、入賞時には、球送り機構７１８によって所定の個数をカウントされながら送られ、分岐片７２２によって賞球通路７２４を通じて上皿１０８又は下皿１１０に誘導される。こうして、パチンコ球が賞球として払い出される。以下、パチンコ機１００裏面側の特徴的な構成部分について詳述する。
【０１０６】
６．球抜き機構
まず球抜き機構について、図３２〜図３４を参照しながら説明する。この球抜き機構は、パチンコ機１００の修理や入れ替え等の際において、球タンク７０６等に貯留されているパチンコ球を全て排出する機能を有する。図３２および図３３において、球抜き機構は、通し穴８００，球抜き分岐片作動スイッチ７５２，分岐片７２２，ソレノイド８１４，球排出指令スイッチ８１６等によって構成されている。通し穴８００は、図３２（Ａ）に示すように、パチンコ機１００の正面側から見ると飾り窓２０４ａの近傍（図では左下側）に設けられている。この通し穴８００は、図３２（Ｂ）に示すように、ガラス枠２００，ベース枠５００，支持枠７０１を貫通して設けられている。通し穴８００に面する機構板７００には、その通し穴８００にスイッチバー７５２ａを向けて球抜き分岐片作動スイッチ７５２が設けられている。この球抜き分岐片作動スイッチ７５２は、ソレノイド８１４を駆動する信号を枠制御装置７５８に送る。図３３（Ａ）に示すソレノイド８１４は枠制御装置７５８からの指令に従って、連結棒８１０を通じて分岐片７２２を左右方向に揺動する。また、球排出指令スイッチ８１６は、ソレノイド８１４を所定時間保持するための信号を枠制御装置７５８に送るとともに、球送り機構を作動させ球抜き動作を開始する信号を送る。
【０１０７】
ここで、ソレノイド８１４の軸８１４ａには、図３３（Ａ）に示すように連結片８１２が固定されている。連結片８１２と分岐片７２２とには、図３３（Ｂ）に示すように、それぞれ小穴８１２ａ，７２２ｂが設けられている。この小穴８１２ａ，７２２ｂにはコ字状の連結棒８１０が嵌め込まれている。また、連結片８１２には凸部８１２ｂが設けられており、この凸部８１２ｂは球排出指令スイッチ８１６のスイッチバー８１６ａを押す役目を果たす。図３２（Ｂ）に戻って、支持枠７０１には、球抜き分岐片作動スイッチ７５２の近傍にスリット８０２が設けられている。このスリット８０２は、パチンコ機１００の製造工程等において、その正面側から各種の検査作業を行うときに使用される。すなわち、棒等をスリット８０２に差し込み、スイッチバー７５２ａを押して球抜き分岐片作動スイッチ７５２をオンにする。
【０１０８】
上記のような構成をなす球抜き機構は、次のように作動する。まず、図３２（Ｂ）において、作業者が細長いピン８０４を通し穴８００に差し込み、スイッチバー７５２ａを押して球抜き分岐片作動スイッチ７５２をオンにする。すると、球抜き分岐片作動スイッチ７５２から枠制御装置７５８にはソレノイド８１４を駆動する信号が伝達され、枠制御装置７５８はソレノイド８１４を作動させる。図３３（Ａ）に移って、ソレノイド８１４が作動すると、その軸８１４ａが矢印Ｄ６方向（図面上方向）に移動し、分岐片７２２は揺動軸７２２ａを中心に矢印Ｄ８方向（図面左回り）に回る。こうして、分岐片７２２は図３４に示すような状態になる。そのため、球送り機構７１８の作動によって流れ下ってきたパチンコ球は、分岐片７２２によって球抜通路７２６に誘導される。
【０１０９】
図３３（Ａ）に戻って、ソレノイド８１４の軸８１４ａが矢印Ｄ６方向に移動する際には、凸部８１２ｂがスイッチバー８１６ａを押して球排出指令スイッチ８１６をオンにする。すると、球排出指令スイッチ８１６から枠制御装置７５８に自己保持を行う信号が伝達され、この枠制御装置７５８はソレノイド８１４を所定時間作動状態に維持する。同時に球送り機構７１８を駆動する信号が伝達され、球抜き動作が開始される。そのため、所定時間だけ上記図３４に示す状態が維持され、流れ下ってきたパチンコ球を継続して球抜通路７２６に誘導する。その後、枠制御装置７５８はソレノイド８１４の作動を停止させ、分岐片７２２を図３３（Ａ）に示すような元の状態に復帰させる。すなわち、ソレノイド８１４の軸８１４ａおよび連結棒８１０が図３４に示す矢印Ｄ１２（図面下方向）に移動し、分岐片７２２が矢印Ｄ１０方向（図面右回り）に回る。ここで、もし球排出指令スイッチ８１６が壊れている場合には球抜き分岐片作動スイッチ７５２がオンし、ソレノイド８１４が上方向に動いても球排出指令スイッチ８１６からは信号が出力されない。そのため、ソレノイド８１４はすぐに停止して軸８１４ａも下方向に戻る。したがって、球排出指令スイッチ８１６が壊れている場合には、球送り機構が動作しない。
【０１１０】
この構成によれば、パチンコ機１００の表面側からピン８０４を通し穴８００に差し込み、そのピン８０４で球抜き分岐片作動スイッチ７５２をオンにするだけで球抜き機構を作動させることができる。このため、球抜き作業が楽に行える。また、支持枠７０１に設けたスリット８０２によって、パチンコ機１００の裏面側からも同様に球抜き機構を作動させることができる。なお、本パチンコ機１００では、通し穴８００やスリット８０２は球抜き機構を作動させる用途だけでなく、他の用途にも適用することができる。他の用途としては、例えば発射装置の一時停止ボタン等がある。こうした機構やボタン等の機能を設けるのは、パチンコ機の表面側から操作すればよい機能であっても、パチンコ機の製造工程等において検査のために表面側から裏面側の動作を確認しなければならない場合に特に有効である。
【０１１１】
７．電源スイッチ
次に、配電盤７０２に設けられている電源スイッチ７０４について、図３５を参照しながら説明する。図３５（Ａ）には配電盤７０２の外観を示し、その配電盤７０２のＥ−Ｅ断面を図３５（Ｂ）に示す。この図３５（Ｂ）において、配電盤７０２を覆うカバー８５２は、電源スイッチ７０４の押しボタン７０４ａを囲んで形成されている。さらに、押しボタン７０４ａを囲むカバー８５２の端面（周壁）は、押しボタン７０４ａの高さよりも高く形成されている。この構成によれば、電源スイッチ７０４が不用意に押されるのを防止することができるとともに、カバー８５２が電源スイッチ７０４の破損を防止することができる。作業員は通常パチンコ機の裏面側を先に島の所定位置に挿入して設置するが、この設置の際に作業員は配電盤７０２が見えない。そのため、従来では電源スイッチ７０４が不用意に押されてしまうことがあったが、本パチンコ機１００ではこうした状態を防止することができる。なお、電源スイッチ７０４は従来通り押しボタン７０４ａによって構成されているので、操作性は維持される。したがって、操作性を維持しながらも、破損を防止し、かつ不用意な操作を防止した電源スイッチ７０４が実現される。
【０１１２】
以上、本発明のパチンコ機の好適な実施形態を図面を参照しつつ説明したが、本発明においては、ガラス枠２００が主要構成部材を各々に含む三つまたはそれ以上の数の組み立て部品ユニットを同一の方向から組み付けることによって構築されておればよく、上記４種の組み立て部品ユニット（即ち、上部構成ユニット、下部構成ユニット、および左右二つの側部構成ユニット）から構築されるガラス枠に限定されるものではない。例えば、上記実施形態に係る単一の上部構成ユニットに代えて、上記上枠部材２０１をさらに両凸部２０１ａ，２０１ｂと中央部分（装飾部材２０２ｂの装着部位）に３分割し、それらを各々主要構成部材として含む計３種の上部構成ユニットを用いることも本発明のパチンコ機として好ましい。なお、この場合においても、当該３種の上部構成ユニットに各々配置されているランプ基板２０６ｃおよびＬＥＤ基板２０６ｂ，２０６ｄは、上述の単一の上部構成ユニットにおける場合と同様、コネクタ２１３ｅ，２１３ｆ，２１３ｇ，２１３ｈを有する２本の配線ケーブル２１０ｃ，２１０ｄによって電気的に接続され得る。
【０１１３】
また、上記実施形態に係るパチンコ機１００では、ガラス枠２００構築時における各組み立て部品ユニットに装着された基板相互の接続をコネクタと配線ケーブルとを用いることによって実現しているが、この手段に限られるものではない。例えば、配線ケーブルに代えて、各組み立て部品ユニットの連結部分（例えば、上記実施形態における基板取付け板２０７と上枠部材２０１との重なり部分）に各基板に直結するコネクタを配しておき、各組み立て部品ユニットを相互に組み付ける際に同時にこれらコネクタを直接連結してもよい。このような手段も本発明の第二のパチンコ機に好ましく適用し得る。
【０１１４】
【発明の効果】
本発明のパチンコ機におけるガラス枠は、円形状の開口部が形成されるように合成樹脂製の複数の主要構成部材に各種の部品を組み付けて構成される枠部材と、該枠部材の裏側の開口部を除く領域に隣り合う主要構成部材に跨って固定される金属製の補強板と、からなり、該補強板のうち、上部の補強板を除く軸支側補強板と下部補強板と開放側補強板に、開口部側の端辺に沿って裏側に向って垂直方向に折り曲げられて開口部を塞ぐガラス板を収納および支持するための２列のガラス支持溝を形成したガラス支持枠が一体的に形成される一方、軸支側補強板と開放側補強板の上端部にそれぞれ突設した取付け片の間に、ガラス支持枠に装着されたガラス板の上部押さえとして機能するストッパー部材を前後方向に回動自在に軸支したので、合成樹脂製の複数の主要構成部材を組み付けて構成される枠部材に各種の部品を組み付け、裏面に補強板を固定するだけでガラス枠を組み付けることができ、ガラス枠の枠組み立て作業の工程の簡素化および迅速化を図ることができる。また、ガラス支持枠に収納および支持されるガラス板がストッパー部材によって押さえ込まれると共にガラス板の交換を簡単に行うことができる。
【０１１５】
また、本発明は、前記ガラス支持枠には、その先端部を前記ベース枠に向かって突設した防犯リブが形成され、前記ベース枠に対して前記ガラス枠を閉じたときに、前記防犯リブが前記ベース枠に形成された凹部に嵌め合わされて前記遊技盤面内への異物の侵入を防止するように構成されているので、ガラス枠とベース枠との間の隙間から異物を侵入させても、その異物が防犯リブに遮られて、遊技盤の遊技盤面内に到達させることができない。
【０１１６】
さらにまた、本発明は、軸支側の補強板に、ガラス支持枠と反対側の端辺の一部がベース枠方向に向かって突設され且つベース枠に対してガラス枠を閉じたときにベース枠の軸支側に付設された係合板に咬合してガラス枠の撓みを防止する係合フランジ部が一体的に形成されているので、上記ガラス枠をベース枠に閉じた場合において、当該係合フランジ部がベース枠に係合されることによって、外力によるガラス枠の軸支側の撓み発生が防止される。
【図面の簡単な説明】
【図１】パチンコ機の外観を示す正面図である。
【図２】パチンコ機の表面側の構成の概略を示す斜視図である。
【図３】パチンコ機の裏面側の構成の概略を示す斜視図である。
【図４】ガラス枠を構成する各部材の配置を説明する図である。
【図５】ガラス枠を構成する各部材を組み付けた一状態を示す図である。
【図６】（Ａ）は、補強板を取り付けた状態でのガラス枠の背面図である。（Ｂ）は、ガラス枠下部に装着される補強板の構造を示す斜視図である。
【図７】基板の配置および配線を模式的に示すガラス枠の正面図である。
【図８】基板の配置および配線を模式的に示すガラス枠の背面図である。
【図９】ガラス枠からの配線引き出しの様子を示す図である。
【図１０】図１におけるＡ−Ａ線矢視断面図である。
【図１１】（Ａ）（Ｂ）は、各々、ガラス枠の開閉状態を示す部分断面図である。
【図１２】ガラス枠の開閉動作を模式的に説明する図である。
【図１３】ガラス枠の開閉動作を模式的に説明する図である。
【図１４】図１におけるＢ−Ｂ線矢視断面図である。
【図１５】前板の概略を示す斜視図である。
【図１６】パチンコ機の前板および下皿を示す部分正面図である。
【図１７】図１６におけるＤ−Ｄ線矢視断面図である。
【図１８】貯留球排出機構を構成する取付けプレートおよびシャッター部材を示す平面図である。
【図１９】貯留球排出機構を構成する取付けプレートおよびシャッター部材の作動を説明する図である。
【図２０】図７におけるＣ−Ｃ線矢視断面図である。
【図２１】ランプ基板の構造を説明する図である。
【図２２】（Ａ）は、ランプ基板およびランプの構造を示す斜視図である。（Ｂ）は、（Ａ）におけるＥ−Ｅ線矢視断面図である。（Ｃ）は、（Ａ）におけるＦ−Ｆ線矢視断面図である。
【図２３】ランプ基板についての配線図である。
【図２４】ＬＥＤ基板についての配線図である。
【図２５】ランプ基板についての配線図である。
【図２６】ＬＥＤ基板についての配線図である。
【図２７】ランプ基板についての配線図である。
【図２８】（Ａ）（Ｂ）は、各々、操作ユニットの一構成を示す正面図である。
【図２９】（Ａ）（Ｂ）（Ｃ）は、各々、ガラス保持機構の作動形態を示す一部破断の側面図である。
【図３０】パチンコ機の裏面側の構成を示す背面図である。
【図３１】図３０の一部拡大図である。
【図３２】（Ａ）は、球抜き機構にかかる通し穴を示す正面図である。（Ｂ）は、球抜き機構の作動を示す側断面図である。
【図３３】（Ａ）（Ｂ）は、各々、球抜き機構の構造を示す図である。
【図３４】球抜き機構の作動を説明する図である。
【図３５】（Ａ）は、配電盤の外観を示す正面図である。（Ｂ）は、（Ａ）におけるＧ−Ｇ線矢視断面図である。
【図３６】ガラス枠を構築する際の各構成ユニットのビス着状態の一態様を模式的に示す図である。
【符号の説明】
１００  パチンコ機
１０２  木枠
２００  ガラス枠
２０１  上枠部材
２０２ａ，２０２ｂ，２０２ｃ  装飾部材
２０５  下枠部材
２０６ａ，２０６ｃ，２０６ｅ  ランプ基板
２０６ｂ，２０６ｄ  ＬＥＤ基板
２０７  基板取付け板
２５２，２５４，２５６，２６０  補強板
２５４ａ，２５６ａ，２６０ａ  ガラス支持枠
５００  ベース枠
６００  遊技盤
７００  機構板
７０１  支持枠
【図１】
0004001192.tif 000002
【図２】
0004001192.tif 000003
【図３】
0004001192.tif 000004
【図４】
0004001192.tif 000005
【図５】
0004001192.tif 000006
【図６】
0004001192.tif 000007
【図７】
0004001192.tif 000008
【図８】
0004001192.tif 000009
【図９】
0004001192.tif 000010
【図１０】
0004001192.tif 000011
【図１１】
0004001192.tif 000012
【図１２】
0004001192.tif 000013
【図１３】
0004001192.tif 000014
【図１４】
0004001192.tif 000015
【図１５】
0004001192.tif 000016
【図１６】
0004001192.tif 000017
【図１７】
0004001192.tif 000018
【図１８】
0004001192.tif 000019
【図１９】
0004001192.tif 000020
【図２０】
0004001192.tif 000021
【図２１】
0004001192.tif 000022
【図２２】
0004001192.tif 000023
【図２３】
0004001192.tif 000024
【図２４】
0004001192.tif 000025
【図２５】
0004001192.tif 000026
【図２６】
0004001192.tif 000027
【図２７】
0004001192.tif 000028
【図２８】
0004001192.tif 000029
【図２９】
0004001192.tif 000030
【図３０】
0004001192.tif 000031
【図３１】
0004001192.tif 000032
【図３２】
0004001192.tif 000033
【図３３】
0004001192.tif 000034
【図３４】
0004001192.tif 000035
【図３５】
0004001192.tif 000036
【図３６】
0004001192.tif 000037